(57)【要約】  移動機上にアプリケーションのカテゴリをプロビジョニングする技術が開示される。無線ネットワークエレメントは、ＡＣＤＣ（Application  Specific  Congestion  Control  for  Data  Communications）／ＡＳＡＣ（Application  and  Service  Access  Control）情報を移動機に伝達できる。ＡＣＤＣ／ＡＳＡＣ情報は、アプリケーションカテゴリの事前設定リストを含み得る。各アプリケーションカテゴリは、少なくとも１つの定められる状態レベルの間、移動機から無線ネットワークにアクセスすることが許可されるアプリケーションセットを含み得る。無線ネットワークエレメントは、無線ネットワークの容量閾が超過される間、１又は複数の状態レベルについてＡＣＤＣ／ＡＳＡＣを有効にできる。無線ネットワークエレメントは、ＡＣＤＣ／ＡＳＡＣが選択されたアプリケーションカテゴリについて１又は複数の状態レベルに基づき有効にされるとき、選択されたアプリケーションカテゴリのアプリケーションセットが無線ネットワークと通信することを許可し得る。
2018502503.tif 000002
【特許請求の範囲】
【請求項１】
移動機上のアプリケーションのカテゴリをプロビジョニングするよう動作する無線ネットワークエレメントであって、前記無線ネットワークエレメントは１又は複数のプロセッサを有し、該１又は複数のプロセッサは、
ＡＣＤＣ（Application  Specific  Congestion  Control  for  Data  Communications）／ＡＳＡＣ（Application  and  Service  Access  Control）情報を移動機に伝達し、前記ＡＣＤＣ／ＡＳＡＣ情報は、アプリケーションカテゴリの事前設定リストを含み、各アプリケーションカテゴリは、少なくとも１つの定義された状態レベルの間、前記移動機から無線ネットワークにアクセスすることが許可されるアプリケーションセットを含み、
前記無線ネットワークの容量閾が超過される間、１又は複数の状態レベルについてＡＣＤＣ／ＡＳＡＣを有効にし、
前記ＡＣＤＣ／ＡＳＡＣが選択されたアプリケーションカテゴリの前記１又は複数の状態レベルに基づき有効にされるとき、前記選択されたアプリケーションカテゴリのアプリケーションセットが前記無線ネットワークと通信することを許可する、
よう構成される、無線ネットワークエレメント。
【請求項２】
前記ＵＥに伝達される前記ＡＣＤＣ／ＡＳＡＣ情報は、前記アプリケーションカテゴリの各々についてアクセス確率及び禁止時間を示し、前記選択されたアプリケーションカテゴリの前記アプリケーションセットは、前記ＡＣＤＣ／ＡＳＡＣが前記無線ネットワークに対して有効にされるとき、前記アクセス確率及び前記禁止時間に従い前記無線ネットワークと通信することを許可される、請求項１に記載の無線ネットワークエレメント。
【請求項３】
前記ＵＥに伝達される前記ＡＣＤＣ／ＡＳＡＣ情報は、前記ＡＣＤＣ／ＡＳＡＣが前記無線ネットワークに対して有効にされるとき、前記無線ネットワークにアクセスすることが許可される前記アプリケーションカテゴリを示すビットマップを有し、前記ビットマップ内の「０」は特定アプリケーションカテゴリが禁止されないことを示し、前記ビットマップ内の「１」は前記特定アプリケーションカテゴリが禁止されることを示し、前記選択されたアプリケーションカテゴリの前記アプリケーションセットは、前記ＡＣＤＣ／ＡＳＡＣが前記無線ネットワークに対して有効にされるとき、前記ビットマップに従い前記無線ネットワークと通信することを許可される、請求項１に記載の無線ネットワークエレメント。
【請求項４】
前記ＡＣＤＣ／ＡＳＡＣ情報は、前記移動機が登録されると、前記移動機にプリロードされ又は前記移動機に伝えられる、請求項１に記載の無線ネットワークエレメント。
【請求項５】
前記ＡＣＤＣ／ＡＳＡＣ情報は、選択されたアプリケーションカテゴリの中の各アプリケーションについて１又は複数の関連領域を含み、各アプリケーションが前記移動機の位置する前記関連領域に基づき異なるカテゴリで動作できるようにする、請求項１に記載の無線ネットワークエレメント。
【請求項６】
前記ＡＣＤＣ／ＡＳＡＣ情報は、各領域について少なくとも１つの許可状態レベルを含み、各アプリケーションカテゴリが前記移動機の位置する関連領域に基づき定められる許可状態レベルで動作できるようにする、請求項１に記載の無線ネットワークエレメント。
【請求項７】
前記ＡＣＤＣ／ＡＳＡＣ情報は、各領域についてアクセスパラメータを含み、各アプリケーションカテゴリが前記移動機の位置する関連領域に基づき定められるアクセスパラメータで動作できるようにし、前記アクセスパラメータはアクセス確率及び禁止時間を含む、請求項１に記載の無線ネットワークエレメント。
【請求項８】
前記無線ネットワークエレメントはＡＣＤＣ／ＡＳＡＣサーバを含む、請求項１に記載の無線ネットワークエレメント。
【請求項９】
前記１又は複数のプロセッサは、専用シグナリングにより前記ＡＣＤＣ／ＡＳＡＣ情報を前記移動機へ伝達するよう更に構成され、前記専用シグナリングは、ロケーションエリア更新受容メッセージ、ルーティングエリア更新受容メッセージ、又はトラッキングエリア更新受容メッセージのうちの少なくとも１つを含む、請求項１に記載の無線ネットワークエレメント。
【請求項１０】
前記１又は複数のプロセッサは、ロケーションエリア更新要求メッセージ、ルーティングエリア更新要求メッセージ、又はトラッキングエリア更新要求メッセージのうちの少なくとも１つを前記移動機から受信することに応答して、前記ＡＣＤＣ／ＡＳＡＣ情報を前記移動機へ伝達するよう更に構成される、請求項１に記載の無線ネットワークエレメント。
【請求項１１】
前記１又は複数のプロセッサは、ブロードキャストチャネルにより前記ＡＣＤＣ／ＡＳＡＣ情報を前記移動機に伝達するよう更に構成される、請求項１に記載の無線ネットワークエレメント。
【請求項１２】
前記１又は複数のプロセッサは、ＯＭＡ−ＤＭ（Open  Mobile  Alliance  Device  Management）プロトコルを用いて、前記ＡＣＤＣ／ＡＳＡＣ情報を前記移動機に伝達するよう更に構成される、請求項１に記載の無線ネットワークエレメント。
【請求項１３】
前記１又は複数のプロセッサは、ＯＴＡ（over−the−air）更新により前記ＡＣＤＣ／ＡＳＡＣ情報を前記移動機に伝達するよう更に構成される、請求項１に記載の無線ネットワークエレメント。
【請求項１４】
前記アプリケーションセットは、モバイルカントリーコード（ＭＣＣ）、ロケーションエリアコード（ＬＡＣ）、ルーティングエリアコード（ＲＡＣ）、又はタイプアロケーションコード（ＴＡＣ）のうちの少なくとも１つに基づき、種々のアプリケーションカテゴリに分類される、請求項１に記載の無線ネットワークエレメント。
【請求項１５】
優先順位付けされたアプリケーションカテゴリの事前設定リストに従いアプリケーションを作動させるよう動作するユーザ機器（ＵＥ）であって、前記ＵＥは１又は複数のプロセッサを有し、前記１又は複数のプロセッサは、
無線ネットワークエレメントからＡＣＤＣ（Application  Specific  Congestion  Control  for  Data  Communications）／ＡＳＡＣ（Application  and  Service  Access  Control）情報を受信し、前記ＡＣＤＣ／ＡＳＡＣ情報はアプリケーションカテゴリの事前設定リストを含み、各アプリケーションカテゴリは、少なくとも１つの定められる状態レベルの間、前記移動機から無線ネットワークにアクセスすることが許可されるアプリケーションセットを含み、
前記事前設定リストに含まれる特定アプリケーションカテゴリの中の前記アプリケーションセットにだけ、前記ＡＣＤＣ／ＡＳＡＣが１又は複数の状態レベルについて有効にされるとき、前記無線ネットワークと通信することを許可し、前記ＡＣＤＣ／ＡＳＡＣは、前記無線ネットワークの無線ネットワークチャネル状態が容量閾を超えることに応答して、有効にされる、
よう構成される、ＵＥ。
【請求項１６】
前記無線ネットワークエレメントから受信される前記ＡＣＤＣ／ＡＳＡＣ情報は、
前記アプリケーションカテゴリの各々についてのアクセス確率及び禁止時間であって、前記アクセス確率及び前記禁止時間は、前記ＡＣＤＣ／ＡＳＡＣが前記無線ネットワークに対して有効にされるとき、前記ＵＥにおける前記アプリケーションカテゴリについて実施される、アクセス確率及び禁止時間、又は、
前記ＡＣＤＣ／ＡＳＡＣが前記無線ネットワークに対して有効にされるとき、前記ＵＥから前記無線ネットワークにアクセスすることが許可される前記アプリケーションカテゴリを示すビットマップであって、前記ビットマップ内の「０」は特定アプリケーションカテゴリが禁止されないことを示し、前記ビットマップ内の「１」は前記特定アプリケーションカテゴリが禁止されることを示す、ビットマップ、
を含む、請求項１５に記載のＵＥ。
【請求項１７】
前記ＡＣＤＣ／ＡＳＡＣ情報は、前記ＵＥが登録されると又は前記ＵＥが定められる地理的領域にローミングされると、受信される、請求項１５に記載のＵＥ。
【請求項１８】
前記１又は複数のプロセッサは、ＯＭＡ−ＤＭ（Open  Mobile  Alliance  Device  Management）プロトコルを用いて、前記ＡＣＤＣ／ＡＳＡＣ情報を前記無線ネットワークエレメントから受信するよう更に構成される、請求項１５に記載のＵＥ。
【請求項１９】
前記ＵＥは、アンテナ、タッチ感応ディスプレイスクリーン、スピーカ、マイクロフォン、グラフィックプロセッサ、アプリケーションプロセッサ、内部メモリ、又は不揮発性メモリポートを有する、請求項１５に記載のＵＥ。
【請求項２０】
ユーザ機器（ＵＥ）上のアプリケーションのカテゴリをプロビジョニングする方法であって、前記方法は、
ＡＣＤＣ（Application  Specific  Congestion  Control  for  Data  Communications）／ＡＳＡＣ（Application  and  Service  Access  Control）サーバから前記ＵＥにＡＣＤＣ／ＡＳＡＣ情報を伝達するステップであって、前記ＡＣＤＣ／ＡＳＡＣ情報は、アプリケーションカテゴリの事前設定リストを含み、各アプリケーションカテゴリは、少なくとも１つの定義された状態レベルの間、前記ＵＥから無線ネットワークにアクセスすることが許可されるアプリケーションセットを含む、ステップと、
前記無線ネットワークの容量閾が超過される間、１又は複数の状態レベルについてＡＣＤＣ／ＡＳＡＣを有効にするステップと、
前記ＡＣＤＣ／ＡＳＡＣが選択されたアプリケーションカテゴリの前記１又は複数の状態レベルに基づき有効にされるとき、前記選択されたアプリケーションカテゴリのアプリケーションセットが前記無線ネットワークと通信することを許可するステップと、
を含む方法。
【請求項２１】
前記ＵＥが位置する特定領域について、前記ＡＣＤＣ／ＡＳＡＣ情報を前記ＵＥに伝達するステップであって、前記ＡＣＤＣ／ＡＳＡＣ情報は、前記ＡＣＤＣ／ＡＳＡＣが有効にされるとき前記特定領域について前記無線ネットワークにアクセスすることが許可されるアプリケーションカテゴリを含む、ステップ、を更に含む請求項２０に記載の方法。
【請求項２２】
前記ＵＥが前記無線ネットワークに登録されること又は前記ＵＥが定められる地理的領域にローミングすることに応答して、前記ＡＣＤＣ／ＡＳＡＣ情報を前記ＵＥに伝達するステップ、を更に含む請求項２０に記載の方法。
【請求項２３】
専用シグナリング又はブロードキャストチャネルにより、前記ＡＣＤＣ／ＡＳＡＣ情報を前記ＵＥに伝達するステップ、を更に含む請求項２０に記載の方法。
【請求項２４】
ＯＭＡ−ＤＭ（Open  Mobile  Alliance  Device  Management）プロトコルを用いて、前記ＡＣＤＣ／ＡＳＡＣ情報を前記ＵＥに伝達するステップ、を更に含む請求項２０に記載の方法。
【発明の詳細な説明】
【技術分野】
【０００１】
移動機上にアプリケーションのカテゴリをプロビジョニングする技術が開示される。無線ネットワークエレメントは、ＡＣＤＣ（Application  Specific  Congestion  Control  for  Data  Communications）／ＡＳＡＣ（Application  and  Service  Access  Control）情報を移動機に伝達できる。ＡＣＤＣ／ＡＳＡＣ情報は、アプリケーションカテゴリの事前設定リストを含み得る。各アプリケーションカテゴリは、少なくとも１つの定められる状態レベルの間、移動機から無線ネットワークにアクセスすることが許可されるアプリケーションセットを含み得る。無線ネットワークエレメントは、無線ネットワークの容量閾が超過される間、１又は複数の状態レベルについてＡＣＤＣ／ＡＳＡＣを有効にできる。無線ネットワークエレメントは、ＡＣＤＣ／ＡＳＡＣが選択されたアプリケーションカテゴリについて１又は複数の状態レベルに基づき有効にされるとき、選択されたアプリケーションカテゴリのアプリケーションセットが無線ネットワークと通信することを許可し得る。
【背景技術】
【０００２】
無線移動体通信技術は、ノード（例えば伝送ステーション）と無線装置（例えば移動機）との間でデータを送信するために、様々な標準、及びプロトコルを使用する。幾つかの無線装置は、ダウンリンク（ＤＬ）送信でＯＦＤＭＡ（orthogonal  frequency−division  multiple  access）を、アップリンク（ＵＬ）送信でＳＣ−ＦＤＭＡ（single  carrier  frequency  division  multiple  access）を用いて通信する。信号送信のためにＯＦＤＭ（orthogonal  frequency−division  multiplexing）を用いる規格及びプロトコルは、３ＧＰＰ（third  generation  partnership  project）ＬＴＥ（long  term  evolution）、ＷｉＭＡＸ（Worldwide  interoperability  for  Microwave  Access）として業界団体に一般に知られているＩＥＥＥ（Institute  of  Electrical  and  Electronics  Engineers）８０２．１６標準（例えば、８０２．１６ｅ、８０２．１６ｍ）、及びＷｉＦｉとして業界団体に一般に知られているＩＥＥＥ８０２．１１標準を含む。
【０００３】
３ＧＰＰ  ＲＡＮ（radio  access  network）ＬＴＥシステムでは、ノードは、Ｅ−ＵＴＲＡＮ（Evolved  Universal  Terrestrial  Radio  Access  Network）ＮｏｄｅＢ（evolved  Node  B、enhanced  Node  B、eNodeB、又はeNBとしても一般的に表記される）と、ユーザ機器（ＵＥ）として知られる無線装置と通信するＲＮＣ（Radio  Network  Controllers）との組合せであり得る。ダウンリンク（ＤＬ）送信は、ノード（例えば、eNodeB）から無線装置（例えば、ＵＥ）への通信であり得る。また、アップリンク（ＵＬ）送信は、無線装置からノードへの通信であり得る。
【図面の簡単な説明】
【０００４】
本開示の特徴及び利点は、例として本開示の特徴を共に図示する添付の図面と関連する以下の詳細な説明から明らかである。
【図１Ａ】一例による、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）アプリケーション又はアプリケーションカテゴリの優先順位付けを例示するテーブルである。
【図１Ａ】一例による、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）アプリケーション又はアプリケーションカテゴリの優先順位付けを例示するテーブルである。
【図２】一例による、ネットワークとユーザ装置（ＵＥ）との間のアプリケーション又はアプリケーションカテゴリの優先順位付けスキームの実装を例示する図である。
【図３】一例による、ロケーションエリアコード（ＬＡＣ）、ルーティングエリアコード（ＲＡＣ）、及びタイプアロケーションコード（ＴＡＣ）の組み合わせに基づいて定義される複数の地理的領域境界を例示する図である。
【図４】一例による、ユーザ装置（ＵＥ）から非アクセス層（ＮＡＳ）メッセージを受信することに応答してＵＥに州インジケータメッセージを伝達するネットワークエレメントを例示する図である。
【図５】一例による、移動機に伝達された基礎ファイル（ＥＦ）に含まれるＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を例示する図である。
【図６】一例による、ＵＥから非アクセス層（ＮＡＳ）メッセージを受信することに応答してＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を伝達するネットワークエレメントを例示する図である。
【図７】一例による、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が有効にされるとともに、ユーザ装置（ＵＥ）がホーム地理的領域の外側をローミングしている場合に、事前設定されたアプリケーションカテゴリのリスト上のアプリケーションカテゴリがＵＥにおいて動作することを許可されないことを決定するネットワークエレメントを例示する図である。
【図８】一例による、ユーザ装置（ＵＥ）がホーム地理的領域の外側をローミングしている場合に、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が有効にされるかどうかに関係なく、事前設定されたアプリケーションカテゴリのリスト上のアプリケーションカテゴリがＵＥにおいて動作することを許可されないことを決定するネットワークエレメントを例示する図である。
【図９】一例による、ユーザ装置（ＵＥ）がホーム地理的領域の外側をローミングしているとともに、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が有効にされる場合に、事前設定されたアプリケーションカテゴリのリスト上のアプリケーションカテゴリがＵＥにおいて動作することを許可されるかどうかを示すＡＣＤＣ／ＡＳＡＣ情報をＵＥに伝達するネットワークエレメントを例示する図である。
【図１０】一例による、複数のアプリケーションカテゴリのアクセス確率及び禁止時間を示すテーブルである。
【図１１】一例による、状態レベルに対し種々の地理的位置についてのＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）アプリケーションカテゴリの優先順位付けを例示するテーブルである。
【図１２】一例による、優先度レベルに対し種々の地理的位置についてのＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）アプリケーションカテゴリの優先順位付けを例示するテーブルである。
【図１３】一例による、地理的位置に対する複数の優先度レベルを示すテーブルである。
【図１４】一例による、移動機上のアプリケーションカテゴリをプロビジョニングするよう動作する無線ネットワークエレメントの機能を示す。
【図１５】一例による、優先順位付けされたアプリケーションカテゴリの事前設定リストに従い、アプリケーションを作動するよう動作するユーザ機器（ＵＥ）の機能を示す。
【図１６】一例による、ユーザ機器（ＵＥ）上でアプリケーションカテゴリをプロビジョニングする方法のフローチャートを示す。
【図１７】一例に従う無線装置（例えば、ＵＥ）の図を示す。  以下では、図示の例示的な実施形態を参照し、本願明細書ではそれらを説明するために固有の言語が用いられる。しかしながら、それにより本発明の範囲の如何なる限定も意図されないことが理解されるだろう。
【発明を実施するための形態】
【０００５】
本発明が開示され説明される前に、本発明は本願明細書に開示される特定の構造、処理ステップ、シグナリングプロトコル及び交換、又は材料に限定されず、関連分野の当業者により認識されるように、それらの等価物にまで拡張されることが理解されるべきである。本願明細書で用いられる用語は、特定の例を説明することのみを目的としており、限定を目的としていないことが理解されるべきである。異なる図中の同じ参照符号は、同じ要素を表す。フローチャート及び処理中に提供される数値は、ステップ及び動作を説明する際に明確性のために提供されるものであり、必ずしも特定の順序又は配列を示さない。
【０００６】
＜例示的な実施形態＞
以下に、技術的実施形態の最初の概略が提供され、次に特定の技術的実施形態が詳細に説明される。この最初の概要は、読者が技術をより迅速に理解するのを助けることを目的としており、技術の主要な特徴又は基本的特徴を特定することを意図せず、あるいは請求される主題の範囲を限定することを意図しない。
【０００７】
移動機、タブレットコンピュータ、ラップトップコンピュータなどのようなユーザ装置（ＵＥ）にダウンロードされ、インストールされ、そして操作されているアプリケーションの数は、上昇傾向で継続的に増大している。これらのアプリケーションは、ソーシャルネットワーキングアプリケーション、オンラインショッピングアプリケーション、ニュースアプリケーション、教育アプリケーション、音楽アプリケーション、ビデオストリーミングアプリケーションなどを含み得る。３ＧＰＰを含むいくつかの標準開発機関（standard  developing  organization：ＳＤＯ）は、ＵＥで動作する増大するアプリケーションが、ネットワーク非能率性の主要原因であるということを特定した。これらのアプリケーションは、サービスに対するアクセスのせいで無線アクセスネットワーク（Radio  Access  Network：ＲＡＮ）及びコアネットワーク（Core  Network：ＣＮ）にわたる輻輳を（故意に、又は無意識に）引き起こす可能性がある。
【０００８】
ネットワーク輻輳の間、特に緊急事態の間、貴重な無線ネットワーク資源を保護するか、及び／又は解放するために、特定のアプリケーション又はアプリケーションのカテゴリ（例えば、ソーシャルネットワーキングアプリケーション、ビデオストリーミングアプリケーション）が無線ネットワークにアクセスすることを制限することが望ましいかもしれない。言い換えれば、無線ネットワーク又は無線ネットワークのチャネル状態が容量しきい値を越える場合に、特定のアプリケーションが制限され得る。さらに、特定のアプリケーション又はアプリケーションのカテゴリ（例えば緊急応答アプリケーション）は、これらの緊急事態が発生する場合に、無線ネットワークが輻輳しているならば優先順位を与えられ得る。その制限が、地域の／国家のネット中立性規則（net  neutrality  regulation）、又は全国的なネット中立性規則に従う限り、特定のアプリケーション又はアプリケーションのカテゴリは制限され得る。一例として、地理的領域における大地震のあとで、市民の安全を裏付けるパケットベースの通信アプリケーション（例えば、災害用伝言板（Disaster  Message  Board）サービス、災害用音声お届け（Disaster  Voice  Messaging）サービス）は、天災又は特に報道価値のある事象が発生する場合に、緊急事態の間、ビデオストリーミングアプリケーションより上の優先順位を与えられるかもしれない。
【０００９】
同様に、他の問題を引き起こすアプリケーション、例えばユーザの承諾なしでプライバシ情報を開示するアプリケーション、又は地域条例により禁止される非合法活動を奨励するアプリケーションが存在する。その制限が地域の／国家のネット中立性規則、又は全国的なネット中立性規則に従う限り、無線ネットワークにアクセスすることからこれらの問題のあるアプリケーションを制限することが望ましいかもしれない。
【００１０】
３ＧＰＰにおいて、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ：データ通信のための特定用途向け輻輳制御）の検討が、ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ：アプリケーション及びサービスアクセス制御）と呼ばれる研究のサブセットをもたらした。ＡＣＤＣ／ＡＳＡＣは、さらに、３ＧＰＰ技術報告書（ＴＲ）２２．８０６  Ｖ１．０．０において説明される。ＡＣＤＣとＡＳＡＣの両方は、事前設定されるべき、又はＵＥにダウンロードされるべき許可されたアプリケーション又はアプリケーションカテゴリの“ホワイトリスト／複数のホワイトリスト”を承認した。ここで使用されるように、用語“ホワイトリスト”は、一般に、ＡＣＤＣ／ＡＳＡＣが無線ネットワークにより有効にされる場合にユーザ装置（ＵＥ）において動作することを許可されるアプリケーション又はアプリケーションのカテゴリのリストのことを指す。用語“アプリケーションカテゴリ”又は“アプリケーションのカテゴリ”は、互換的に使用され得るとともに、一緒にグループ化される１つ又は複数のアプリケーションを示すことができる。例えば、ソーシャルネットワークアプリケーションは、第１のアプリケーションカテゴリにグループ化され得るとともに、年齢１８〜３５歳のユーザの間で最もポピュラーなアプリケーションは、第２のアプリケーションカテゴリにグループ化され得る。“ホワイトリスト”は、無線ネットワークにより必要に応じて動的に構成され得るか、又はプロビジョニングされ得る。したがって、ネットワーク輻輳は、ＡＣＤＣ又はＡＳＡＣがネットワークオペレータにより有効にされる場合に、ＵＥにより開始されるべき“ホワイトリスト”にリストされていないアプリケーション又はアプリケーションのカテゴリを一時的に阻止することによって、緩和され得る。
【００１１】
ＡＣＤＣ／ＡＳＡＣは、地域の／国家の規則、又は全国的な規則に従ってネットワーク輻輳を軽減するために有効にされ得る。
【００１２】
無線ネットワークにアクセスすることを許可される事前設定されたアプリケーション又はアプリケーションカテゴリのホワイトリストは、ネットワーク輻輳の軽減に貢献するかもしれないが、しかし、事前設定されたホワイトリスト上の競合する承認されたアプリケーションによって引き起こされたネットワーク輻輳を必ずしも緩和するとは限らないかもしれない。言い換えれば、事前設定されたホワイトリスト上の様々な承認されたアプリケーションが、それにもかかわらずネットワーク輻輳を引き起こすかもしれない。しかしながら、下記のさらなる詳細において論じられたように、事前設定されたホワイトリスト上の競合している承認されたアプリケーションによって引き起こされたネットワーク輻輳は緩和され得る。
【００１３】
ＡＣＤＣ／ＡＳＡＣ機能は、２つのエンドポイント、具体的にはＵＥとネットワークエレメントとを横断して実行され得る。一例において、ネットワークエレメントは、ＡＣＤＣ／ＡＳＡＣサーバを含み得る。ＡＣＤＣ／ＡＳＡＣサーバは、モバイルネットワークオペレータ（mobile  network  operator：ＭＮＯ）の観点から、ＵＥ上のＡＣＤＣ／ＡＳＡＣホワイトリストをプロビジョニングする他に、全体のＡＳＡＣ機能を有効にし、終了し、そして管理するネットワークエンティティである。一構成において、ＡＣＤＣ／ＡＳＡＣサーバは、独立型ネットワークエンティティであり得るとともに、この構成において、ＡＣＤＣ／ＡＳＡＣサーバは、ＵＥと通信するためにＳＯＡＰ（Ｓｉｍｐｌｅ  Ｏｂｊｅｃｔ  Ａｃｃｅｓｓ  Ｐｒｏｔｏｃｏｌ：簡易オブジェクトアクセスプロトコル）／拡張マークアップ言語（ＸＭＬ）ベースの転送を使用し得る。その代わりに、ＡＣＤＣ／ＡＳＡＣサーバは、他のネットワークエンティティと一緒に配置され得る。例えば、ＡＣＤＣ／ＡＳＡＣサーバは、モビリティ管理エンティティ（Mobility  Management  Entity：ＭＭＥ）と一緒に配置され、ＵＥと通信するために非アクセス層（non−access−stratum：ＮＡＳ）転送を使用し得る。さらに、ＡＣＤＣ／ＡＳＡＣサーバは、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ：アクセスネットワーク発見選択機能）と一緒に配置され得るとともに、ＵＥと通信するためにオープンモバイルアライアンスデバイス管理（Open  Mobile  Alliance  Device  Management：ＯＭＡ−ＤＭ）転送を使用する。
【００１４】
ＡＣＤＣ／ＡＳＡＣが有効にされる場合に、アプリケーション又はアプリケーションのカテゴリは、アプリケーション又はアプリケーションカテゴリの承認されたリストに従って優先順位を付けられ得る。言い換えれば、アプリケーションのカテゴリ（例えば緊急サービスアプリケーション）は、ネットワーク輻輳又は緊急事態の間、優先順位を付けられ得る。ネットワーク輻輳は、無線ネットワークの無線ネットワークチャネル状態が容量しきい値を越える場合に発生し得る。さらに、アプリケーションのカテゴリは、オペレータがネットワーク中立性によって束縛されない非ＡＣＤＣ状態の間、優先順位を付けられ得る（すなわち、インターネットサービスプロバイダが、インターネット上の全てのデータを等しく扱うべきであるとともに、特定のタイプの内容又はアプリケーションを差別しない原則）とともに、異なる処置をＵＥ上のアプリケーション及び通常の非緊急状態におけるネットワークに適用することを合法的に許可される。
【００１５】
優先順位付けスキームは、ある種の値を事前設定されたアプリケーション又はアプリケーションカテゴリのリスト上の各アプリケーション又はアプリケーションカテゴリに割り当てることによって達成され得る。それらの値は、数値であるか、アルファベットであるか、文字列であるか、又はそれの組み合わせであり得る。
【００１６】
図１Ａは、ＡＣＤＣアプリケーションの代表的な優先順位付けスキームを例示する。オプション１において、アプリケーションＡ及びＢは、第１の優先順位レベル（すなわちＮ）を与えられ、アプリケーションＣ及びＤは、第２の優先順位レベル（すなわちＮ＋１）を与えられ、アプリケーションＥ及びＦは、第３の優先順位レベル（すなわちＮ＋２）を与えられ、アプリケーションＧ及びＨは、第４の優先順位レベル（すなわちＮ＋３）を与えられる。その代わりに、優先順位付けスキームは、ＡＣＤＣアプリケーションカテゴリに適用され得る。例えば、アプリケーションカテゴリＡ及びＢは、第１の優先順位レベルを与えられることができ、ここで、アプリケーションカテゴリＡは、アプリケーションＱ及びＲを含み、アプリケーションカテゴリＢは、アプリケーションＳ及びＴを含む。オプション２において、アプリケーション及び／又はアプリケーションカテゴリは、さらに細かい精度（例えば、Ｎ、Ｎ＋１、Ｎ＋３など）によって優先順位を付けられ得る。
【００１７】
ＡＣＤＣ／ＡＳＡＣ状態が有効にされる場合に、ＵＥは、承認されたリスト上のアプリケーション又はアプリケーションカテゴリの開始を許可し得る。結果的に、１を超えるアプリケーション又はアプリケーションカテゴリがＵＥ上で開始される場合に、ＵＥは、アプリケーション又はアプリケーションカテゴリに割り当てられた優先順位付けの値に従って、開始に優先順位を付け得る。したがって、ホワイトリスト上の全てのアプリケーション又はアプリケーションカテゴリがＵＥにより開始されることを許可されるという仮定が行われ得る。ＵＥは、その場合に、マルチタスクシナリオでこれらのアプリケーション又はアプリケーションカテゴリを実行するために、もしＵＥ上に競合する要求が存在するならば、各アプリケーション又はアプリケーションカテゴリに割り当てられた優先順位レベルに従って異なるアプリケーション又はアプリケーションカテゴリの間の優先順位を決定し得る。
【００１８】
代替構成において、ネットワークオペレータは、ネットワーク輻輳状態に基づいて、異なるレベルのＡＣＤＣ／ＡＳＡＣを有効にすることができ、それにより、その状態レベルに対して許可された優先順位付けされたアプリケーションのみを許可し、ホワイトリスト上の残りのアプリケーションを許可しない。したがって、ネットワークオペレータは、その状態レベルに対して許可された優先順位付けされたアプリケーションカテゴリのみを許可し、ホワイトリスト上の残りのアプリケーションカテゴリを許可しない。異なるレベルのＡＣＤＣ／ＡＳＡＣは、ホワイトリスト上の特定のアプリケーションがリスト上の他のアプリケーションより上の無線ネットワークに対する優先的なアクセス権（priority  access）を与えられることをオペレータが保証する必要がある状況において有益であり得る。例えば、大地震の勃発時、オペレータは、異なるレベルのＡＣＤＣ／ＡＳＡＣが有効にされる場合に、ＹｏｕＴｕｂｅ（登録商標）に対するビデオアップロード（例えば特定のアプリケーション）が２４時間後にアクセス権を与えられる一方、災害用伝言板（Disaster  Message  Board）が無線ネットワークにアクセスすることを許可される、ということを保証することを望むかもしれない。その代わりに、オペレータは、緊急サービスアプリケーションが無線ネットワークと通信することのみを許可する一方、大地震の勃発時から２４時間の間全てのビデオストリーミングアプリケーション（例えば特定のアプリケーションカテゴリ）を制限し得る。
【００１９】
図１Ｂは、アプリケーションがＵＥによって開始されることを許可される場合に、オペレータが、アプリケーションのＡＣＤＣ又はＡＳＡＣホワイトリスト、及び対応するＡＣＤＣ／ＡＳＡＣ状態レベルに基づいて、どのように様々な許可されたアプリケーションに優先順位をつけるであろうかを例示する代表的な優先順位付けスキームである。その代わりに、図１Ｂにおける優先順位付けスキームは、ＡＣＤＣ／ＡＳＡＣ状態レベルに基づいて許可される特定のアプリケーションカテゴリに対して適用され得る。それらの値は、数値であるか、アルファベットであるか、文字列であるか、又はそれの組み合わせであり得る。例えば、“Ａ”は、緊急応答アプリケーション又は緊急応答アプリケーションカテゴリを示し得る。図１Ｂにおいて示されるように、“Ａ”及び“Ｂ”は、状態レベルＮで無線ネットワークにアクセスすることを許可され得るが、しかし“Ｃ”から“Ｈ”までは、未来時まで許可されないかもしれない。例えば、無線ネットワークが状態Ｎ＋２及びＮ＋３を許可する場合に、“Ｅ”及び“Ｆ”のみが無線ネットワークにアクセスすることができる。
【００２０】
図１Ｂにおいて示されるように、“Ｃ”から“Ｈ”までが無線ネットワークにアクセスすることを許可される場合に、“Ａ”及び“Ｂ”は、同様に、無線ネットワークにアクセスすることを許可され得る。言い換えれば、“Ａ”及び“Ｂ”は、状態レベルＮ、Ｎ＋１、Ｎ＋２、及びＮ＋３の間、許可され得る。したがって、“Ａ”及び“Ｂ”は、第１の優先順位レベルを与えられることができ、“Ｃ”及び“Ｄ”は、第２の優先順位レベルを与えられることができ、“Ｅ”及び“Ｆ”は、第３の優先順位レベルを与えられることができ、そして“Ｇ”及び“Ｈ”は、第４の優先順位レベルを与えられることができる。図１Ｂにおいて示されるように、状態レベルＮ＋１の間、“Ａ”から“Ｄ”までは無線ネットワークにアクセスすることを許可され得るが、しかし“Ｅ”から“Ｈ”までは無線ネットワークにアクセスすることを許可されない、などのようになる。
【００２１】
図２は、ネットワークとユーザ装置（ＵＥ）との間のアプリケーション又はアプリケーションカテゴリの優先順位付けスキームの代表的な実装を例示する。進化型ＮｏｄｅＢ（ｅＮＢ）を通して、ネットワークはＡＣＤＣ／ＡＳＡＣ状態を有効にし得るとともに、ＵＥは、ＡＣＤＣ／ＡＳＡＣ状態に従ってアプリケーション又はアプリケーションのカテゴリを開始し得るか、又は動作させ得る。ネットワークは、ＭＭＥ、ＡＮＤＳＦ、又は専用のＡＣＤＣ／ＡＳＡＣサーバのようなネットワークエレメントを含み得る。したがって、ＡＣＤＣ／ＡＳＡＣ状態の動作は、ＮＡＳプロトコルを通してＭＭＥから、ＯＭＡ−ＤＭプロトコルを通してＡＮＤＳＦから、又はハイパーテキスト転送プロトコル（ＨＴＴＰ）プロトコルを通して専用のＡＣＤＣ／ＡＳＡＣサーバから、開始され得る。
【００２２】
図２において示されるように、ネットワークは、ＡＣＤＣ／ＡＳＡＣ状態レベルＮを有効にし得る。その結果、ＵＥは、アプリケーションＡ及びＢ（又はアプリケーションカテゴリＡ及びＢ）のみを開始し得るか、又は動作させ得る。ホワイトリスト上の他のアプリケーション又はアプリケーションカテゴリは、状態レベルＮの間、有効にされることを許可されない。もし追加のネットワークトラフィックを提供するためにネットワーク輻輳レベルが十分に緩和されることをオペレータが判定するならば、ネットワークは、ＡＣＤＣ／ＡＳＡＣ状態レベルＮ＋１を有効にし得る。その結果、ＵＥは、アプリケーションＡ、Ｂ、Ｃ、及びＤ（又はアプリケーションカテゴリＡ、Ｂ、Ｃ、及びＤ）のみを開始し得るか、又は動作させ得る。さらに、ネットワークは、ＡＣＤＣ／ＡＳＡＣ状態レベルＮ＋３を有効にすることを決定するかもしれない。その結果、ＵＥは、アプリケーションＡ、Ｂ、Ｃ、Ｄ、Ｅ、Ｆ、Ｇ、及びＨ（又はアプリケーションカテゴリＡ、Ｂ、Ｃ、Ｄ、Ｅ、Ｆ、Ｇ、及びＨ）を開始し得るか、又は動作させ得る。言い換えれば、ホワイトリスト上のアプリケーション又はアプリケーションカテゴリの全ては、ＵＥにより有効にされることを許可され得る。
【００２３】
オペレータは、そのサービス領域内の様々な法的な要求事項に支配され得る。例えば、国Ａにおける州Ｘは、州Ｙより、様々な法的な要求事項及び優先事項を有しているかもしれない。この場合、オペレータは、加入者のＵＥを設定し、そして、地理的領域の間の差異を明らかにするように、その無線ネットワークをプロビジョニングする。一構成において、ＵＥは、異なる領域の異なるホワイトリストを事前設定され得る。ＵＥが異なる領域を通ってローミングすると、無線ネットワークは、動的に適切なホワイトリストを有効にし、前のホワイトリストを無効にし得る。例えば、ＵＥは、地理的領域Ａ、Ｂ、及びＣのためのホワイトリストを事前設定され得る。ＵＥが領域Ａにある場合に、領域Ａに対応するホワイトリストのみが有効にされ得るが、しかしＵＥが領域Ｂにローミングする場合に、領域Ｂに対応するホワイトリストが有効にされ得るとともに、領域Ａに対応するホワイトリストが無効にされ得る。
【００２４】
代替構成において、加入者がサービスにサインアップする場合に、ＵＥは、ホーム領域の適切なホワイトリストのみを事前設定され得る。ＵＥが異なる領域にローミングすると、無線ネットワークは、現在のホワイトリストを新たに管理するホワイトリストと動的に交換し得る。一例として、領域Ａにある場合に、ＵＥは、領域Ａに対応するホワイトリストを受信し得る。ＵＥが領域Ｂにローミングする場合に、ＵＥは、領域Ｂに対応するホワイトリストを受信し得るとともに、領域Ａに対応するホワイトリストは、もはやＵＥに適用されないかもしれない。
【００２５】
ＵＥがホーム地理的領域の外側をローミングする場合に、ＵＥがローミングしている地理的領域におけるネットワークオペレータは、現在ＵＥに実装されているホワイトリストを支持する（honor）か否かを判定し得る。例えば、ＵＥは、領域Ａに対応するホワイトリストを実装しているかもしれないとともに、ＵＥは、領域Ｂにローミングするかもしれない。領域Ｂにおける無線ネットワークオペレータは、ＵＥが領域Ａに対応するホワイトリストを使用することを続けることができるかどうか、又は、ＵＥのホワイトリストが領域Ｂに対応するホワイトリストに交換されるべきであるかどうかを判定し得る。言い換えれば、ＵＥの領域Ａのためのホワイトリストは、ネットワークオペレータによって支持されないかもしれない。
【００２６】
図３は、ロケーションエリアコード（ＬＡＣ）、ルーティングエリアコード（ＲＡＣ）、及びタイプアロケーションコード（ＴＡＣ）の組み合わせに基づいて定義される複数の地理的領域境界を例示する。多くの無線ネットワークと同様に、３ＧＰＰシステムにおいて、地理的な州の境又は国境は、移動機器には識別しにくいかもしれない。図３が明白な地理的境界を例示する一方、これらの境界は、様々なセル、例えば異なる国又は領域の公衆陸上移動ネットワーク（Public  Land  Mobile  Network：ＰＬＭＮ）により供給され得る。セルＩＤ、ロケーションエリアコード（Location  Area  Code：ＬＡＣ）、ルーティングエリアコード（Routing  Area  Code：ＲＡＣ）、及びタイプアロケーションコード（Type  Allocation  Code：ＴＡＣ）、モバイルカントリーコード（Mobile  Country  Code：ＭＣＣ）、モバイルネットワークコード（Mobile  Network  Code：ＭＮＣ）のような場所が関連する特性は、一般に境界の正確な地理的なマッピングを提供するように設計されていない。しかしながら、ＬＡＣ又はＲＡＣ又はＴＡＣの組み合わせは、国又は国家の州を標示するか、又は識別することができる。言い換えれば、同様の特性又は識別子を有するＬＡＣ又はＲＡＣ又はＴＡＣを分類することは、移動機と関連付けられた地理的領域を推論し得る。そのような国家的な表示は、国家の取締機関により制御されて管理され得るとともに、その国家／国の中で活動しているオペレータにより受容されて順守され得る。
【００２７】
図４は、ユーザ装置（ＵＥ）又は移動局（mobile  station：ＭＳ）に州インジケータメッセージ（state  indicator  message）（又は地域インジケータメッセージ（regional  indicator  message））を伝達するネットワークエレメントを例示する。州インジケータメッセージは、ＵＥの現在の地理的領域（例えば、ユタ州）を含み得る。ネットワークエレメントは、ＵＥにより実行される非アクセス層（ＮＡＳ）登録又は登録更新に応答して、州インジケータメッセージを伝達し得る。ＵＥは、位置更新要求メッセージ、アタッチ要求メッセージ、ルーティングエリア更新要求メッセージ、トラッキングエリア更新要求メッセージ、又は他のタイプのＮＡＳメッセージをネットワークに伝達し得る。ネットワークは、州インジケータの表示を含んでいる、位置更新受容メッセージ、アタッチ受容メッセージ、ルーティングエリア更新受容メッセージ、トラッキングエリア更新受容メッセージ、又は他のタイプのＮＡＳネットワークからＵＥ（network−to−UE）応答メッセージによって応答し得る。代替構成において、州インジケータ又は領域インジケータは、システム同報情報において一斉送信され得る。
【００２８】
“州−インジケータ”は、８ビットが州のバイナリデコードであるオクテットを使用して国の中の州を独自に識別し得る。１つのオクテット又は８ビットは、米国における州の数（すなわち５０州）に対して十分であり得る。さらに、１つのオクテットは、８３個の区画、共和国、及び／又は地方を有するロシアのような国に対して十分であり得る。
【００２９】
移動機は一般に移動機が移動機と関連付けられた州（又は小区域）を知ることを可能にする全地球測位システム（ＧＰＳ）機能を含むが、そのような情報は、一般に、地域の要求事項が有効であるかどうかを示さない。従って、ＧＰＳ情報が、上記で説明された州インジケータメッセージに加えて使用され得る。
【００３０】
図５は、移動機に伝達された代表的な基礎ファイル（ＥＦ）に含まれるＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を例示する。ここで使用される用語“ＡＣＤＣ／ＡＳＡＣ情報”及び“ＡＣＤＣ／ＡＳＡＣ適用範囲及びアプリケーションカテゴリリスト”は、互換的に使用され得る。ＥＦファイルは、ＯＭＡ−ＤＭ又は加入者識別モジュールツールキット（又はＳＩＭＴｏｏｌｋｉｔ）を使用して、移動機に対してプロビジョニング又はプリプロビジョニングされ得る。プロビジョニング又はプリプロビジョニングのためのＯＭＡ−ＤＭ又はＳＩＭＴｏｏｌｋｉｔの使用は、移動機、及びオペレータ／無線ネットワークが地域の要求事項及び／又はローミングの要求事項を有効にするのを可能にする表示、方法、又は要因を含み得る。移動機がホーム領域と異なる領域にある場合に、地域の要求事項が有効にされ得る。ここで使用される用語“無関係の領域（foreign  region）”は、一般に、ホーム領域と異なる移動機の領域のことを指し得る。無関係の領域は、移動機によってローミングされる領域を含み得る。
【００３１】
ＥＦファイル内のＡＣＤＣ／ＡＳＡＣ情報は、移動機の、汎用加入者識別モジュール（ＵＳＩＭ）、加入者識別モジュール（ＳＩＭ）、又は汎用ＩＣカード（ＵＩＣＣ）のためのものであり得るとともに、ＳＩＭツールキットを使用して移動機に伝達され得る。その代わりに、ＡＣＤＣ／ＡＳＡＣ情報が、オープンモバイルアライアンス管理オブジェクト（Open  Mobile  Alliance  management  object：ＯＭＡ−ＭＯ）として指定され得るとともに、オープンモバイルアライアンスデバイス管理（Open  Mobile  Alliance  Device  Management：ＯＭＡ−ＤＭ）プロトコルを使用して移動機に伝達され得る。さらに、ＥＦファイル及びＯＭＡ−ＭＯの両方は、移動機に対するＡＣＤＣ／ＡＳＡＣ情報の引き渡し、プロビジョニング、プリプロビジョニングの間に含まれ得る。
【００３２】
先に述べたように、ＡＣＤＣ／ＡＳＡＣ情報（又は、ＡＣＤＣ／ＡＳＡＣ適用範囲及びアプリケーションカテゴリリスト）は、ＡＣＤＣ／ＡＳＡＣの制御情報及び管理情報と、ホワイトリスト化されたアプリケーション及び／又はアプリケーションカテゴリとを含み得る。リストは、自国の領域（州又は省など）がホワイトリスト化されたアプリケーションに対するオーバーライド（override）を提供できるかどうかのような複数のインジケータを含み得る。言い換えれば、リストは、ホーム領域におけるネットワークオペレータが現在ＵＥに実装されているホワイトリストを新しいホワイトリストによってオーバーライドすることができるかどうかを示し得る。リストは、ＭＣＣの外側をローミングしている移動機が、無関係の領域のＡＣＤＣ／ＡＳＡＣの有効化及びＡＣＤＣ／ＡＳＡＣの事前設定されたホワイトリストのような、ＡＣＤＣ／ＡＳＡＣ適用情報を取得することができるかどうかを示し得る。言い換えれば、リストは、移動機が、無関係の領域のＡＣＤＣ／ＡＳＡＣスキームを導入するか、又は移動機のホーム領域に対応するＡＣＤＣ／ＡＳＡＣスキームを使用することを継続するかどうかを示し得る。ＡＣＤＣ／ＡＳＡＣ情報に従ってＭＣＣのオーバーライドが許可される場合に、特定のＭＣＣ（例えばＭＣＣ１、ＭＣＣ２、ＭＣＣａ、ＭＣＣｂ）を有するＭＣＣリストが含まれ得る。一例において、もし新しいネットワークオペレータが移動機の以前のＡＣＤＣ／ＡＳＡＣを支持するならば、移動機は、以前のＡＣＤＣ／ＡＳＡＣスキームを使用することを継続し得る。
【００３３】
ＡＣＤＣ／ＡＳＡＣ適用範囲及びアプリケーションカテゴリリストは、ホワイトリスト化されたアプリケーション又はアプリケーションカテゴリの優先順位付け情報、すなわちアプリケーション又はアプリケーションカテゴリの提供されたリストが優先順位付けされた順番になっているかどうかの表示を含み得る。例えば、特定のアプリケーションカテゴリ（例えば、緊急応答アプリケーション）は、他のタイプのアプリケーションカテゴリ（例えばビデオ共有アプリケーション）と比較するとより高い優先順位を与えられ得る。ＡＣＤＣ／ＡＳＡＣアプリケーション又はアプリケーションカテゴリの優先順位付けは、ネットワークオペレータにより割り当てられる優先順位付けレベル（例えば、Ｎ、Ｎ＋１、Ｎ＋２、及びＮ＋３）を用いて示され得る。さらに、リストは、事前設定されたアプリケーション又はアプリケーションカテゴリのホワイトリスト、すなわちＡＣＤＣ／ＡＳＡＣがネットワークのために有効にされる場合にモバイルネットワークにアクセスすることを許可されるアプリケーション及び／又はアプリケーションカテゴリのホワイトリストを含み得る。上記で説明されたインジケータがＡＣＤＣ／ＡＳＡＣ適用範囲及びアプリケーションカテゴリリストの一部分として示されるが、これらのインジケータのうちのいくらか又は全ては、独立型インジケータとして別々に提供され得る。
【００３４】
移動機がローミングしているとともに、ローミングオーバーライド（roaming  override）が許可される場合のＡＣＤＣ／ＡＳＡＣの適用のために、無関係の領域のＡＣＤＣ／ＡＳＡＣ固有情報及び適用情報を考慮する、移動機がローミングしている場所のＭＣＣを有する第２のリストが生成され得る。その代わりに、無関係の領域のＡＣＤＣ／ＡＳＡＣ固有情報及び適用情報を考慮しない、移動機がローミングしている場所のＭＣＣを有する第２のリストが生成され得る。
【００３５】
一構成において、１つを超えるリストが、ＵＥに対してプロビジョニング又はプリプロビジョニングされ得る。したがって、ネットワークオペレータは、各リストが特定の領域に対応するＸ個のリストをプロビジョニングし得る。リストが適用できる州を識別するか、又はＵＥのホーム州である州を識別するような、追加の情報が含まれ得る。例えば、無線ネットワークは、ＵＥのホーム領域に対応する第１のリスト、及び無関係の領域に対応する第２のリストを提供し得る。
【００３６】
図６は、ＵＥから非アクセス層（ＮＡＳ）メッセージを受信することに応答してＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を伝達するネットワークエレメントを例示する。ＮＡＳシグナリングは、無線ネットワークがおおよそのリアルタイムにおいて特定の無線ネットワーク又は地域条件に関する情報をＵＥに提供することを可能にし得る。ＮＡＳシグナリングは、ＡＣＤＣ／ＡＳＡＣ適用動的情報をＵＥに対して配信するために、３ＧＰＰの標準化されたメカニズムを利用し得る。ネットワークＡＣＤＣ／ＡＳＡＣ適用情報は、局所的なＡＣＤＣ要求事項を満たすために単独で、又は、ＯＭＡ−ＤＭ若しくはＳＩＭ  Ｔｏｏｌｋｉｔにより配信されたＡＣＤＣ情報と併せて、使用され得る。
【００３７】
ネットワークは、ＡＣＤＣ／ＡＳＡＣ状態を有効にし得るとともに、ＵＥは、ＡＣＤＣ／ＡＳＡＣ状態に従ってアプリケーション又はアプリケーションのカテゴリを開始し得るか、又は動作させ得る。ネットワークは、ＭＭＥ、ＡＮＤＳＦ、又は専用のＡＣＤＣ／ＡＳＡＣサーバのようなネットワークエレメントを含み得る。したがって、ＡＣＤＣ／ＡＳＡＣ状態の動作は、ＮＡＳプロトコルを通してＭＭＥから、ＯＭＡ−ＤＭプロトコルを通してＡＮＤＳＦから、又はハイパーテキスト転送プロトコル（ＨＴＴＰ）プロトコルを通して専用のＡＣＤＣ／ＡＳＡＣサーバから、開始され得る。
【００３８】
ＵＥ又は移動局（ＭＳ）は登録更新を実行することができ、例えば、ＵＥは、位置更新要求メッセージ、アタッチ要求メッセージ、ルーティングエリア更新要求メッセージ、トラッキングエリア更新要求メッセージ、又は他のタイプのＮＡＳメッセージをネットワークに送信し得る。ネットワークは、州インジケータの表示を含んでいる、位置更新受容メッセージ、アタッチ受容メッセージ、ルーティングエリア更新受容メッセージ、トラッキングエリア更新受容メッセージ、又は他のタイプのＮＡＳネットワークからＵＥ（network−to−UE）応答メッセージによって応答し得る。ネットワークは、無線アクセスベアラ（radio  access  bearer：ＲＡＢ）のプロビジョニング及び割り当てにより、ＵＥからのサービス要求を受容し得る。さらに、ネットワークは、図５において以前に説明されたように、ＡＣＤＣ／ＡＳＡＣ情報をＵＥに提供し得る。ＡＣＤＣ／ＡＳＡＣ情報は、リスト又は情報要素（information  element：ＩＥ）に含まれ得るとともに、無線ネットワークに対して局所的な、必要なＡＣＤＣ／ＡＳＡＣ適用情報を含み得る。
【００３９】
ネットワークは、識別なしか、又は移動機が動的なＡＣＤＣ／ＡＳＡＣプロビジョニング／ハンドリングをサポートするということを知る場合のいずれかにおいて、ＡＣＤＣ／ＡＳＡＣ情報（すなわち、ＡＣＤＣ／ＡＳＡＣ適用範囲及びアプリケーションカテゴリリスト）を移動機に提供し得る。もし移動機がＡＣＤＣ／ＡＳＡＣ情報を受け取り、そして動的なＡＣＤＣ／ＡＳＡＣプロビジョニング／ハンドリングをサポートしていないならば、その場合に、移動機は、ＡＣＤＣ／ＡＳＡＣ情報を無視しても良い。
【００４０】
もし移動機がＡＣＤＣ／ＡＳＡＣ情報を受け取り、そして動的なＡＣＤＣ／ＡＳＡＣプロビジョニング／ハンドリングをサポートしているならば、移動機は、その非リアルタイムＡＣＤＣ／ＡＳＡＣ情報をチェックし得るとともに、もし局所的なＡＣＤＣ／ＡＳＡＣ適用範囲情報を考慮に入れることを許可されたならば、移動機は、局所的なＡＣＤＣ／ＡＳＡＣ適用範囲情報を処理することを継続し得る。したがって、移動機は、ホームネットワークオペレータにより事前設定される非リアルタイムＡＣＤＣ／ＡＳＡＣ情報（例えば、移動機が無関係のネットワークと関連付けられたホワイトリストを導入することを許可されるかどうかを示すホームネットワークオペレータからの情報）をチェックし得る。さらに、訪問先ネットワーク又は無関係のネットワークの中をローミングする移動機は、非リアルタイムＡＣＤＣ／ＡＳＡＣ情報の十分な補足物を有していない、局所的なＡＣＤＣ／ＡＳＡＣ適用範囲情報を提供され得る。
【００４１】
ＡＣＤＣ／ＡＳＡＣ情報は、優先順位付けの表示、又は、優先順位付けされ、したがってＡＣＤＣ／ＡＳＡＣが対応する無線ネットワークのために有効にされる場合に許可されるアプリケーション／アプリケーションカテゴリの表示を含み得る。優先順位付けは、優先順位１又は高い優先順位であるアプリケーション／アプリケーションカテゴリ、優先順位２又は中間の優先順位であるアプリケーション／アプリケーションカテゴリ、そして次に、優先順位３又は低い優先順位であるアプリケーション／アプリケーションカテゴリの順序になり得る。例えば、“Ａ”及び“Ｂ”は高い優先順位を有しているかもしれず、“Ｘ”、“Ｙ”、及び“Ｚ”は中間の優先順位を有しているかもしれず、そして“Ｋ”は低い優先順位を有しているかもしれない。さらに、ＡＣＤＣが無線ネットワークにおいて動作中である場合に、ＡＣＤＣ／ＡＳＡＣ情報は、優先順位付けされたアプリケーション又はアプリケーションカテゴリの許可された数を示し得る。
【００４２】
ＡＣＤＣ／ＡＳＡＣ情報は、各優先順位レベル（例えば、優先順位レベル１、２若しくは３、又は、高い優先順位レベル、中間の優先順位レベル、若しくは低い優先順位レベル）に対するアプリケーション又はアプリケーションカテゴリを特定し得る。アプリケーションカテゴリは、ソーシャルネットワークアプリケーション、オンラインショッピングアプリケーション、ニュースアプリケーション、教育アプリケーション、音楽アプリケーション、ビデオストリーミングアプリケーションなどを含み得る。さらに、アプリケーションのカテゴリは、年齢１３歳から１７歳の女性の間で最もポピュラーであるアプリケーションのカテゴリのような、他の類似点を共有し得る。各アプリケーションカテゴリは、複数の特定のアプリケーションを含み得る。例えば、音楽アプリケーションのアプリケーションカテゴリは、１００を越える特定の音楽アプリケーションを含み得る。これらの特定されたアプリケーションは、ホワイトリスト上に現れるかもしれないし、又は現れないかもしれない。特定されたアプリケーション又はアプリケーションカテゴリの数が制限されない一方、ＡＣＤＣ／ＡＳＡＣ機能の性質は、恐らく比較的小さな数の特定されたアプリケーションに帰着することになる。いくつかの例において、ネットワークは、ネットワーク輻輳のレベルに応じて、全くアプリケーションを示さないか、又は、選択された数のアプリケーションを示し得る。
【００４３】
図６において例示される一例のように、もしＡＣＤＣ／ＡＳＡＣが動作中で、そして移動機がＡｐｐ（アプリケーション）Ｙ、及びＡｐｐ（アプリケーション）Ｋを開始することを望むならば、その場合に、Ａｐｐ  Ｙのみが開始される。同様に、もしより高い層がＡｐｐ  Ｘを誘発するが、しかしＡｐｐ  Ａ及びＡｐｐ  Ｂが同様に開始されるならば、その場合に、Ａｐｐ  Ｘは開始されないであろう。
【００４４】
特定されたアプリケーション及び／又はアプリケーションカテゴリ、並びに、ＡＣＤＣ／ＡＳＡＣが動作中である場合の対応する優先順位レベルに関して、無線ネットワークは、所定のＡＣＤＣ／ＡＳＡＣ情報の有効時間を示し得る。示された有効時間は、その時間のあとではＡＣＤＣ／ＡＳＡＣ情報がもはや有効ではなくなる絶対時間であり得る。有効時間は、開始時間と終了時間、すなわち時間の範囲を示し得る。有効時間は、ＡＣＤＣ／ＡＳＡＣ情報が移動機に提供されてから有効である、秒数、分数、時間数、デシマル時間数（deci−hours）などを示し得る。もし有効時間が与えられないならば、移動機は、次の登録更新、又はサービスに対する次の要求における更新まで、ＡＣＤＣ／ＡＳＡＣは有効であると考えるかもしれない。有効時間が次の登録更新においてまだ経過中である場合、次の登録更新情報は、以前に提供されたＡＣＤＣ／ＡＳＡＣ情報の全てを捨てる（clear  out：一掃する）かもしれない。無線ネットワークが次の登録更新においてＡＣＤＣ／ＡＳＡＣ情報（すなわち、ＡＣＤＣ／ＡＳＡＣ適用範囲及びアプリケーションカテゴリリスト）を更新しないことを選択しない限り、移動機における現在のＡＣＤＣ／ＡＳＡＣ情報又は現在利用可能なＡＣＤＣ／ＡＳＡＣ情報は有効であり続けるかもしれない。
【００４５】
特定されたアプリケーション及び／又はアプリケーションカテゴリ、並びに、ＡＣＤＣ／ＡＳＡＣが動作中である場合の対応する優先順位レベルに関して、無線ネットワークは、アプリケーション又はアプリケーションカテゴリの優先順位付けされたリストが適用される有効な地理的位置を示し得る。有効な地理的位置は、ＬＡＣ、ＲＡＣ、ＴＡＣのような３ＧＰＰで許可された位置識別子、又は同様の３ＧＰＰで定義された地理座標（Geo−coordinates）、又は一般に示された全地球測位システム（ＧＰＳ）座標のうちのいずれかにおいて示され得る。したがって、移動機が有効な地理的位置の外にある場合に、優先順位付けされたリストは適用されないかもしれない。もし有効な地理的位置が与えられないならば、移動機は、次の登録更新、又はサービスに対する次の要求における更新まで、ＡＣＤＣ／ＡＳＡＣは有効であると考えるかもしれない。たとえもし地理的位置が与えられるとともに、その位置が次の登録更新においてまだ有効であるとしても、次の登録更新情報は、以前に提供されたＡＣＤＣ／ＡＳＡＣ情報の全てを捨てる（clear  out：一掃する）かもしれない。公衆陸上移動ネットワーク（Public  Land  Mobile  Network：ＰＬＭＮ）の変更の間に、移動機が同等のＰＬＭＮ（例えば拡張ＰＬＭＮ）又は同等のホームＰＬＭＮ（拡張ホームＰＬＭＮ）に変わる場合に例外があり得るかもしれないが、ＡＣＤＣ／ＡＳＡＣ情報はフラッシュ（flush：消去）され得る。
【００４６】
一構成において、ＡＣＤＣ／ＡＳＡＣ情報の十分な補足物は、個々のネットワークオペレータを用いて実装されないかもしれない。例えば、“ローミングオーバーライト（Roaming  overwrite）”表示は導入されないかもしれず、その代りに、個々のネットワークオペレータは、インバウンドのローミング加入者（inbound  roaming  subscriber）に対してＡＣＤＣ／ＡＳＡＣの適用を許可する又は許可しないために、それらの同業のネットワークオペレータとのローミング協定においてプロビジョンを有し得る。そのような契約上の合意は、訪問先ネットワーク又は無関係のネットワークがインバウンドローマー（inbound  roamer）（すなわち無関係のネットワークにローミングした移動機）に対して、ＡＣＤＣ／ＡＳＡＣ情報の適用を許可されるか、又は許可されないかに関して信号を送る必要があるかもしれないので、シグナリング解決法（signaling  solution）をそれでもなお必要とし得る。
【００４７】
図７は、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が有効にされるとともに、ＵＥがホーム地理的領域の外側をローミングしている場合に、事前設定されたアプリケーションカテゴリのリスト上のアプリケーションのカテゴリがユーザ装置（ＵＥ）において動作することを許可されないことを決定するネットワークエレメントを例示する。言い換えれば、ネットワークエレメントは、無関係の領域（すなわち、ＵＥと関連付けられたホーム領域の外側）にあり得るとともに、ＵＥが無関係の領域内をローミングしている場合に、ＵＥがＡＣＤＣ／ＡＳＡＣアプリケーションを動作させることを許可しない。ＡＣＤＣ／ＡＳＡＣ状態の有効化は、ＮＡＳプロトコルを通してＭＭＥから、ＯＭＡ−ＤＭプロトコルを通してＡＮＤＳＦから、又はハイパーテキスト転送プロトコル（ＨＴＴＰ）プロトコルを通して専用のＡＣＤＣ／ＡＳＡＣサーバから、開始され得る。
【００４８】
移動機が登録更新を実行する場合に、又は移動機がリソースを要求する場合に、そのシグナリングに応答する無線ネットワークは、拒否理由を示し得る。拒否理由は、ＡＣＤＣ／ＡＳＡＣが無線ネットワークにおいて有効にされる場合に、ＡＣＤＣ／ＡＳＡＣアプリケーション又はアプリケーションカテゴリが許可されないことを移動機に示し得る。移動機が拒否理由を受け取る場合に、ＡＣＤＣ／ＡＳＡＣが無線ネットワークにおいて動作中であることを検知している移動機は、ＡＣＤＣ／ＡＳＡＣアプリケーション又はアプリケーションカテゴリのうちのいずれも開始しないかもしれない。たとえもしＵＥがＡＣＤＣホワイトリストを有しているとしても、その制限は行われ得る。さらに、その負担（imposition：要求）は、次の登録更新又はサービス更新まで適用され得る。
【００４９】
図７において示されるように、ＵＥは、位置更新要求メッセージ、アタッチ要求メッセージ、ルーティングエリア更新要求メッセージ、トラッキングエリア更新要求メッセージ、又は他のタイプのＮＡＳメッセージをネットワークに伝達し得る。ネットワークは、位置更新拒否メッセージ、アタッチ拒否メッセージ、ルーティングエリア更新拒否メッセージ、トラッキングエリア更新拒否メッセージ、又はサービス拒否メッセージによって応答し得る。その代りに、ネットワークは、拒否理由を有するサービス受容メッセージによって応答しても良く、ここで、拒否理由は、ＡＣＤＣ／ＡＳＡＣが無線ネットワークにおいて有効にされる場合に、ＡＣＤＣアプリケーションが許可されないことを示す。
【００５０】
登録更新は、位置更新受容メッセージ、アタッチ受容メッセージ、ルーティングエリア更新受容メッセージ、トラッキングエリア更新受容メッセージ、又はサービス受容メッセージによって受容され得るとともに、リソースが提供され得るが、しかし、ＡＣＤＣ／ＡＳＡＣが動作中である場合にＡＣＤＣ／ＡＳＡＣアプリケーションが許可されないことを示す拒否理由がこれらのメッセージによって同様に提供され得る。
【００５１】
図８は、移動機がホーム地理的領域の外側をローミングしている場合に、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が有効にされるかどうかに関係なく、事前設定されたアプリケーションカテゴリのリスト上のアプリケーションのカテゴリがユーザ装置（ＵＥ）において動作することを許可されないことを決定するネットワークエレメントを例示する。言い換えれば、ネットワークエレメントは、無関係の領域内にあるかもしれず、ＵＥが無関係の領域内をローミングしている場合にＵＥがＡＣＤＣ／ＡＳＡＣアプリケーションを動作させることを許可しない。ＡＣＤＣ／ＡＳＡＣ状態の有効化は、ＮＡＳプロトコルを通してＭＭＥから、ＯＭＡ−ＤＭプロトコルを通してＡＮＤＳＦから、又はハイパーテキスト転送プロトコル（ＨＴＴＰ）プロトコルを通して専用のＡＣＤＣ／ＡＳＡＣサーバから、開始され得る。
【００５２】
移動機が登録更新を実行する場合に、又は移動機がリソースを要求する場合に、ネットワークは、ＡＣＤＣ／ＡＳＡＣアプリケーションがローミングしているＵＥには許可されないということを移動機（すなわちインバウンドローマー）に示す拒否理由によって応答し得る。移動機が拒否理由を受け取る場合に、ＡＣＤＣ／ＡＳＡＣが無線ネットワークにおいて動作中であるかどうかに関係なく、移動機は、ＡＣＤＣ／ＡＳＡＣアプリケーション又はアプリケーションカテゴリのうちのいずれも開始しないかもしれない。ＵＥがＡＣＤＣホワイトリストを有している場合にその制限は適用されるかもしれず、そして、次の登録更新又はサービス更新まで適用されることができる。
【００５３】
図８において示されるように、ＵＥは、位置更新要求メッセージ、アタッチ要求メッセージ、ルーティングエリア更新要求メッセージ、トラッキングエリア更新要求メッセージ、又は他のタイプのＮＡＳメッセージをネットワークに伝達し得る。ネットワークは、位置更新拒否メッセージ、アタッチ拒否メッセージ、ルーティングエリア更新拒否メッセージ、トラッキングエリア更新拒否メッセージ、又はサービス拒否メッセージによって応答し得る。その代りに、ネットワークは、拒否理由を有するサービス受容メッセージによって応答しても良く、ここで、拒否理由は、ＵＥがローミングしている場合に、ＡＣＤＣアプリケーションが許可されないことを示す。
【００５４】
ネットワークは、登録更新を受容し得るとともに、ＡＣＤＣ／ＡＳＡＣが動作中である場合に、ＡＣＤＣ／ＡＳＡＣアプリケーション又はアプリケーションカテゴリが許可されないことを示し得る。登録更新は、位置更新受容メッセージ、アタッチ受容メッセージ、ルーティングエリア更新受容メッセージ、トラッキングエリア更新受容メッセージ、又はサービス受容メッセージによって受容され得るとともに、リソースが提供され得るが、しかし、ＵＥがローミングしている場合にＡＣＤＣ／ＡＳＡＣアプリケーションが許可されないことを示す拒否理由がこれらのメッセージによって同様に提供され得る。
【００５５】
図９は、ユーザ装置（ＵＥ）がホーム地理的領域の外側をローミングしているとともに、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が有効にされる場合に、事前設定されたアプリケーションカテゴリのリスト上のアプリケーションカテゴリがＵＥにおいて動作することを許可されるかどうかを示すＡＣＤＣ／ＡＳＡＣ情報をＵＥに伝達するネットワークエレメントを例示する図である。ＡＣＤＣ／ＡＳＡＣ状態の有効化は、ＮＡＳプロトコルを通してＭＭＥから、ＯＭＡ−ＤＭプロトコルを通してＡＮＤＳＦから、又はハイパーテキスト転送プロトコル（ＨＴＴＰ）プロトコルを通して専用のＡＣＤＣ／ＡＳＡＣサーバから、開始され得る。
【００５６】
ネットワークは、移動機（すなわちインバウンドローマー）がＡＣＤＣ／ＡＳＡＣアプリケーション又はＡＣＤＣ／ＡＳＡＣアプリケーションのカテゴリを動作させることを許可し得る。移動機が登録更新を実行する場合に、又は移動機がリソースを要求する場合に、ネットワークは、ＵＥがネットワークにおけるＡＣＤＣ／ＡＳＡＣの有効を前提としてローミングしている場合にＡＣＤＣ／ＡＳＡＣアプリケーションが許可される、ということを示すことによって応答し得る。移動機がローミングしている場合にＡＣＤＣ／ＡＳＡＣアプリケーションが許可されるという表示を移動機が受け取る場合に、移動機は、訪問先公衆陸上移動ネットワーク（visited  public  land  mobile  network：ＶＰＬＭＮ）においてＡＣＤＣ／ＡＳＡＣが動作中である場合に、ホーム公衆陸上移動ネットワーク（home  public  land  mobile  network：ＨＰＬＭＮ）のプロビジョニングされたホワイトリストに示されたＡＣＤＣ／ＡＳＡＣ  アプリケーションが実行され得る、ということを知るかもしれない。
【００５７】
図９において示されるように、ＵＥは、位置更新要求メッセージ、アタッチ要求メッセージ、ルーティングエリア更新要求メッセージ、トラッキングエリア更新要求メッセージ、又はあらゆる他のタイプ若しくはレベルのシグナリングメッセージをＵＥとネットワークとの間で伝達し得る。ネットワークは、ＵＥに対するＡＣＤＣ制限を決定しないかもしれない。ネットワークは、州インジケータの表示を含んでいる、位置更新受容メッセージ、アタッチ受容メッセージ、ルーティングエリア更新受容メッセージ、トラッキングエリア更新受容メッセージ、又はサービス受容メッセージ（又は他のタイプ若しくはレベルのシグナリングメッセージ）によって応答し得るとともに、ここで、これらのメッセージは、ＵＥがローミングしている場合にＡＣＤＣ／ＡＳＡＣアプリケーションが許可されるということを示す。
【００５８】
一構成において、ＵＥにおけるＡＣＤＣ／ＡＳＡＣホワイトリストは、ページングメッセージ及びシステム情報ブロック（System  Information  Block：ＳＩＢ）を用いて更新され得る。ＵＥは、ユニバーサル地上無線アクセスネットワーク（Universal  Terrestrial  Radio  Access  Network：ＵＴＲＡＮ）及び進化型ユニバーサル地上無線アクセスネットワーク（Evolved  Universal  Terrestrial  Radio  Access  Network：Ｅ−ＵＴＲＡＮ）システムにおけるページングメッセージ及びＳＩＢを用いて更新され得る。進化型ＮｏｄｅＢ（ｅＮＢ）は、ＵＥに対するページングメッセージにおいて、ＡＣＤＣ／ＡＳＡＣホワイトリスト通知を伝達し得る。ＡＣＤＣ／ＡＳＡＣホワイトリスト通知は、ＡＣＤＣ／ＡＳＡＣ  ＳＩＢがｅＮＢにより一斉送信されているということをＵＥに通知し得る。
【００５９】
ＡＣＤＣ／ＡＳＡＣホワイトリスト通知は、ＡＣＤＣ／ＡＳＡＣグループＩＤ（すなわち、ＡＣＤＣ／ＡＳＡＣホワイトリストを適用するＵＥのグループ）を含み得る。もしＡＣＤＣ／ＡＳＡＣグループＩＤが含まれているならば、対応するＡＣＤＣ／ＡＳＡＣグループに属する移動機のみが、ＡＣＤＣ／ＡＳＡＣ  ＳＩＢを獲得する必要があり得る。もしＡＣＤＣ／ＡＳＡＣグループＩＤが含まれていないならば、ＡＣＤＣ／ＡＳＡＣのために設定された全ての装置がＡＣＤＣ／ＡＳＡＣ  ＳＩＢを獲得し得る。ＬＴＥシステムにおいて、ＡＣＤＣ／ＡＳＡＣ  ＳＩＢのスケジューリング情報は、システム情報ブロックタイプ１（ＳＩＢ１）において提供され得る。ＡＣＤＣ／ＡＳＡＣのために設定された移動機は、最初にＳＩＢ１情報を獲得し、そしてそのあとに、ＳＩＢ１に含まれるＡＣＤＣ／ＡＳＡＣ  ＳＩＢスケジューリング情報に基づいて、ＡＣＤＣ／ＡＳＡＣ  ＳＩＢを獲得し得る。
【００６０】
したがって、ＳＩＢは、ＡＣＤＣ／ＡＳＡＣが無線ネットワークにおいて動作中であるかどうかの表示を含み得る。追加の情報が、ＳＩＢによって移動機の選択されたグループ又は収集物に送信され得る。追加の情報は、移動機器又は移動加入者又は移動ユーザの、国際移動体加入者識別子（ＩＭＳＩ）、一時的移動体加入者識別子（ＴＭＳＩ）、グローバル一意一時識別子（ＧＵＴＩ）、又は他の３ＧＰＰ固有の識別子の特定の範囲の形式における表示を含み得る。
【００６１】
追加の情報は、移動機の特定のカテゴリの表示を含み得る。移動機の特定のカテゴリは、移動機のアクセスクラスのような、新しい識別子（identity）又は以前に定義された識別子のあらゆる形式であり得る。ネットワーク、放送サブシステム、及び移動機は、特定のカテゴリの同じ合意（understanding）を全て共有し得る。例えば、無線ネットワークは、電力クラスを分類として使用しないかもしれず、一方、移動機は、アクセスクラスを分類として使用する。言い換えれば、無線通信インタフェースの両側は、同じ分類を使用し得る。複数の異なる（新しい又は既存の）カテゴリが導入され得るが、概して、１つのカテゴリのみがその時々において使用される。したがって、ＡＣＤＣ／ＡＳＡＣの起動により影響を受ける移動機のカテゴリを一斉送信することは別として、無線ネットワークは、どのカテゴリが選択的な基準として使用されるべきであるかを示し得る。
【００６２】
一例において、ＳＩＢは、もしＡＣＤＣ／ＡＳＡＣが無線ネットワークにおいて動作中であるならば、ＡＣＤＣ／ＡＳＡＣが例外なしでインバウンドローマーに適用できるかどうかを示し得る。言い換えれば、インバウンドローマーは、無関係の領域の中をローミングしているとともに、ＵＥのホーム領域の外部に存在するＵＥを含み得る。
【００６３】
一例において、ＳＩＢは、もしＡＣＤＣ／ＡＳＡＣが無線ネットワークにおいて動作中であるならば、ＡＣＤＣ／ＡＳＡＣが一部例外ありでインバウンドローマーに適用できるかどうかを示し得る。これらの例外は、そのような例外を有している、公衆陸上移動ネットワーク識別子（ＰＬＭＮ  ＩＤ）、ＰＬＭＮ  ＩＤの範囲、モバイルカントリーコード（ＭＣＣ）、又はＭＣＣの範囲に基づいて確認され得る。言い換えれば、確認されないＰＬＭＮ  ＩＤ及びＭＣＣは除外されない。その代りに、これらの例外は、例外を有していない、ＰＬＭＮ  ＩＤ、ＰＬＭＮ  ＩＤの範囲、ＭＣＣ、ＭＣＣの範囲に基づいて確認され得る。言い換えれば、確認されないＰＬＭＮ  ＩＤ及びＭＣＣは除外される。さらに、特定のカテゴリの識別は、無線ネットワークにおけるＡＣＤＣの適用に従う、又は従わない移動機を選択する場合に、さらに細かい精度で提供され得る。
【００６４】
上記で説明された情報は、ＳＩＢ又は他の選択された３ＧＰＰの一斉送信技術によって移動機に提供され得る。移動機は、移動機が一斉送信されている特定のカテゴリに属するかどうかを知るために、情報を一斉送信することを使用し得る。たとえもしカテゴリが３ＧＰＰによって以前に定義されていたとしても、移動機は、移動機の識別子（identity）がＳＩＢによって一斉送信されたカテゴリに適合するかどうかを判定し得る。
【００６５】
ＵＥは、新しい分類が指定されたことを示す情報を提供され得る。一例において、移動機のＳＩＭ／ＵＳＩＭは、そのカテゴリの識別子／情報によってプリプロビジョニングされ得る。移動機は、同様に、ＳＭＳプロビジョニングによって、又はＯＭＡ  ＤＭを通して、そのカテゴリの識別子／情報を受け取るかもしれない。もしＵＥがそのカテゴリを知っているならば、そしてもしそのカテゴリがＡＣＤＣ／ＡＳＡＣについてのＳＩＢによって一斉送信されるカテゴリに適合するならば、その場合に、ＳＩＢによって示されたＡＣＤＣ／ＡＳＡＣのために適用できるものは、移動機に対して適用され得るとともに、移動機はそれに応じて動作し得る。移動機に関するそのようなＡＣＤＣ／ＡＳＡＣの適用情報は、ホームオペレータの方針に基づいていて良いとともに、ＵＥをローミングされる（すなわち訪問先の）ＰＬＭＮのＡＣＤＣ／ＡＳＡＣの許可／起動に従わせるホームオペレータの設定可能な情報であり得る。そのような情報は、移動構成情報（mobile  configuration  information）（すなわちＳＩＭ／ＵＳＩＭ上）の一部分として構成され得るとともに、訪問先ネットワークＡＣＤＣ／ＡＳＡＣ起動情報を利用するようにローミングしている移動機をＳＩＢ又は一斉送信メッセージ／情報によって案内するための表示を含み得る。さらに、移動機は、ＵＳＩＭ−ＯＴＡ又はＯＭＡ−ＤＭのようなＯＴＡプロビジョニング手法を使用して、移動機におけるＡＣＤＣの設定に基づいて、ＡＣＤＣに従い得る。
【００６６】
一実施形態では、アプリケーション固有アクセス制御が、輻輳状況中に提供され得る。例えば、ＡＣＤＣ／ＡＳＡＣ機能は、ＵＥ及びＡＣＤＣ／ＡＳＡＣサーバに渡り実装され得る。ＡＣＤＣ／ＡＳＡＣサーバは、ＡＣＤＣ／ＡＳＡＣホワイトリストをＵＥ上にプロビジョニングするネットワークエンティティである。さらに、ＡＣＤＣ／ＡＳＡＣサーバは、モバイルネットワークオペレータ（ＭＮＯ）の観点からＡＣＤＣ／ＡＳＡＣ機能全体の起動／停止及び管理を担うことができる。
【００６７】
認可アプリケーションリストにある異なるアプリケーションは、ＡＣＤＣ／ＡＳＡＣが起動されるとき優先順位付けできる。優先順位付け方式は、アプリケーションリストにある各アプリケーションに値を割り当てることにより、達成できる。値は、数値、テキスト、アルファベット、又はそれらの組み合わせであり得る。値は、任意的に、ＦＱＤＮ（Fully  Qualified  Domain  Name）であり得る。オペレータは、自身のＡＣＤＣ／ＡＳＡＣホワイトリストにある種々の認可アプリケーションを優先順位付けできる。ここで、各認可アプリケーションは、アプリケーションがＵＥにより起動されることが許される、少なくとも１つの対応する状態レベルを有する。ＡＣＤＣ／ＡＳＡＣ状態レベルが有効にされる場合に、ＵＥは、認可リスト上のアプリケーションのみの開始を許可し得る。言い換えると、ＵＥは、特定アプリケーションにだけ、ネットワークと通信することを許可でき、一方で他のアプリケーションは、ネットワークと通信することを許可されない。しかしながら、ネットワークにアクセスしないアプリケーションはＵＥ上でローカルに実行されて良い。１より多くのアプリケーションがＵＥ上で有効にされるとき、ＵＥは、アプリケーションに割り当てられる優先順位値に従い起動を優先順位付けできる。ＡＣＤＣ状態が有効にされるとき、認可リストにないアプリケーションは起動できない（つまり、アプリケーションはネットワークとの通信を禁止される）。
【００６８】
アプリケーションカテゴリに基づくアプリケーションの分類は、多数の利点を提供できる。例えば、各カテゴリに属するアプリケーションは、種々の仕様に影響を与えることなく時間に渡り変更され得る。言い換えると、カテゴリＡの中の特定アプリケーションは変更され得るが、これらの変更は、カテゴリＡの中のアプリケーションがネットワークにアクセスすることを許可される状態レベルを変更しない。さらに、オペレータは、彼ら固有のビジネスモデル又は他の特性に基づき、各カテゴリのためにアプリケーションを選択できる。
【００６９】
一例では、オペレータは、そのサービス領域内の様々な法的要求事項に支配され得る。例えば、国Ａの中の州Ｘは、国Ａの中の州Ｙと異なる法的要求事項及び優先事項を有し得る。この場合、オペレータは、加入者のＵＥを設定し、そして、州Ｘと州Ｙとの間の差異を考慮してネットワークをプロビジョニングする。地域／州の優先事項は、幾つかの方法で達成され得る。一例において、ＵＥは、異なる領域の異なるホワイトリストを事前設定され得る。ＵＥが異なる領域を通じてローミングすると、ネットワークは、動的に適切なホワイトリストを有効にし、前のホワイトリストを無効にし得る。別の例において、加入者がサービスにサインアップするとき、ＵＥは、ホーム領域の適切なホワイトリストのみを事前設定され得る。ＵＥが異なる領域にローミングするとき、ネットワークは、ホワイトリストを新たに運営するホワイトリスト（つまり、異なる領域に対応するホワイトリスト）で動的に置き換えることができる。
【００７０】
以下に更に詳述するように、一例では、ネットワークは、種々のホワイトリストを有効及び無効にしなくて良い。むしろ、アプリケーションは、領域に依存して、異なるグループ又はカテゴリに分類され得る。さらに、アプリケーション及びアプリケーションカテゴリを優先順位付けするために、禁止パラメータの使用又はビットマップの使用のような他の技術が使用できる。
【００７１】
一例では、アプリケーションリストを有するのではなく、オペレータは、アプリケーションカテゴリを定め得る。ここで、カテゴリ毎にアプリケーションセットが定められる。一例として、オペレータは、５個のカテゴリ、つまりカテゴリＡ、カテゴリＢ、カテゴリＣ、カテゴリＤ、及びカテゴリＥを定めることができる。カテゴリＡは、災害メッセージ掲示板、等のような高優先度アプリケーションを有し得る。カテゴリＢは、ＶｏＩＰ（Voice  over  Internet  Protocol）のような音声呼に関連するアプリケーションを含み得る。カテゴリＣは、ビデオストリーミングアプリケーション又は音声ストリーミングアプリケーションのようなストリーミングアプリケーションを含み得る。
【００７２】
カテゴリＤは、ウェブ閲覧アプリケーションを含み得る。カテゴリＥは、ビデオゲームのような対話型アプリケーションを含み得る。
【００７３】
更なる粒度を提供するために、オペレータは、より多数のカテゴリを生成できる。所与の領域当たりのアプリケーション分類の差別化が比較的大きい場合、比較的多数のアプリケーションカテゴリがメモリ可用性に影響を与え得る。したがって、多数の異なるアプリケーションは、固定カテゴリセットに分類され、ネットワークは、アプリケーションカテゴリをＵＥへ送信できる。言い換えると、ネットワークは、アプリケーションカテゴリの定義を含むＡＣＤＣ／ＡＳＡＣ情報をＵＥへ送信できる。それにより、ネットワーク輻輳が存在し及びＡＣＤＣがネットワーク内で有効にされるとき、ＵＥが特定アプリケーションカテゴリを優先することを可能にする。ネットワークは、ＡＣＤＣ／ＡＳＡＣ情報をＵＥへ専用メッセージにより送信できる。あるいは、代替で、ネットワークは、ＡＣＤＣ／ＡＳＡＣ情報をＵＥへブロードキャストできる。任意的に、アプリケーションカテゴリに関連する情報は、ＯＭＡ−ＤＭ（Open  Mobile  Alliance  Device  Management）プロトコルにより構成できる。ここで、ネットワークは、情報と共に管理オブジェクトファイルをＵＥへ送信する。一構成では、アプリケーションカテゴリを記述するＡＣＤＣ／ＡＳＡＣ情報は、ＵＥにおいて事前構成され得る。
【００７４】
一例では、ネットワーク内でプロビジョニングされるアプリケーションカテゴリは、Ａ、Ｂ、Ｃ、Ｄ、及びＥであり得る。アプリケーションカテゴリの各々は、１又は複数の定義された状態レベルの間、許可され得る。例えば、カテゴリＡは、Ｎ、Ｎ＋１、Ｎ＋２、Ｎ＋３、及びＮ＋４の状態レベルの間、許可され得る。カテゴリＢは、Ｎ＋１、Ｎ＋２、Ｎ＋３、及びＮ＋４の状態レベルの間、許可され得る。カテゴリＣは、Ｎ＋２、Ｎ＋３、及びＮ＋４の状態レベルの間、許可され得る。カテゴリＤは、Ｎ＋３、及びＮ＋４の状態レベルの間、許可され得る。カテゴリＥは、Ｎ＋４の状態レベルの間、許可され得る。ＡＣＤＣ／ＡＳＡＣ状態レベルが有効にされる場合に、ＵＥは、認可カテゴリにあるアプリケーションのみの開始を許可し得る。
【００７５】
前述の例では、Ｎ＋１の状態レベルがネットワーク内で有効にされる場合、ＵＥは、カテゴリＡ及びカテゴリＢの中のアプリケーションがネットワークと通信することを許可できるが、カテゴリＣ、Ｄ、及びＥの中のアプリケーションは、ネットワークと通信することを許可されない。別の例として、Ｎ及びＮ＋３の状態レベルがネットワーク内で有効にされる場合、ＵＥは、カテゴリＡ、Ｂ、Ｃ、及びＤの中のアプリケーションがネットワークと通信することを許可できるが、アプリケーションＥはネットワークと通信することを許可されない。前述のように、ネットワークは、ネットワーク内に輻輳が存在する定められた時間期間の間、特定状態レベル（例えば、Ｎ、Ｎ＋１、Ｎ＋４）を有効にできる。ネットワークが輻輳しているときに特定アプリケーションのみにネットワークと通信することを許可し、及びネットワークが輻輳しているときに他のアプリケーションにネットワークと通信することを許可しないことにより、ネットワーク内で交換されるデータ量は最小化でき、したがって、ネットワーク輻輳が軽減され又は縮小できる。定められた時間期間の後（例えば、ネットワークトラフィックが許容可能レベルに達したとき）、ＡＣＤＣ状態レベルは無効にでき、ＵＥは特定アプリケーションにネットワークと通信することを許可することを制限されない。
【００７６】
図１０は、複数のアプリケーションカテゴリのアクセス確率及び禁止時間を示す例示的なテーブルである。一構成では、ネットワークからＵＥへ伝達されるＡＣＤＣ／ＡＳＡＣ情報は、各アプリケーションカテゴリについて禁止パラメータを有し得る。これは、３ＧＰＰ  ＴＳ（Technical  Specification）３６．３３１に記載のようなＡＣＢ（access  class  barring）禁止パラメータ（barring  parameters）と類似する。禁止パラメータは、アクセス確率及び禁止時間を含み得る。アクセス確率は、ＡＣＤＣ／ＡＳＡＣがネットワーク内で有効であるとき、特定アプリケーションカテゴリの中のアプリケーションがＵＥからネットワークにアクセスすることが許可されている、定められた確率（例えば、パーセンテージとして表される）を示し得る。禁止時間は、ＡＣＤＣ／ＡＳＡＣがネットワーク内で有効であるとき、特定アプリケーションカテゴリの中のアプリケーションがＵＥからネットワークにアクセス可能であることを禁止される、時間期間（例えば、秒の単位）を定め得る。
【００７７】
図１０の例に示すように、ＡＣＤＣ／ＡＳＡＣ情報は、Ａ、Ｂ、Ｃ、Ｄ、及びＥのような多数のアプリケーションカテゴリを記述できる。各アプリケーションカテゴリについて、対応するアクセス確率及び禁止時間が存在し得る。言い換えると、ネットワークは、アプリケーションカテゴリの各々についてアクセス確率及び禁止時間をＵＥに設定できる。ＡＣＤＣ／ＡＳＡＣ状態が有効であるとき、ＵＥは、各アプリケーションカテゴリについて禁止パラメータに従うことができる。ＡＣＤＣ／ＡＳＡＣ状態が有効であるときでも、特定アプリケーションカテゴリが禁止されない場合、禁止パラメータは相応して設定され得る。
【００７８】
一例では、ＵＥは、禁止パラメータを含むＡＣＤＣ／ＡＳＡＣ情報をネットワークから受信できる。ネットワークが輻輳してきた場合（例えば、無線ネットワークの容量閾が超過される）、ＡＣＤＣ／ＡＳＡＣがネットワーク内で有効にされ得る。ＡＣＤＣ／ＡＳＡＣが有効であるとき、ＵＥは、ＡＣＤＣ／ＡＳＡＣ情報に含まれる禁止パラメータに従うことができる。非限定的例として、カテゴリＡに関し、アクセス確率（つまり、ＵＥがカテゴリＡの中のアプリケーションを使用することを許可される確率）は８０％であり、禁止時間は２秒であり得る。また、カテゴリＥに関し、アクセス確率は１０％であり、禁止時間は３０秒であり得る。
【００７９】
一構成では、ネットワークからＵＥに伝達されるＡＣＤＣ／ＡＳＡＣ情報は、ＡＣＤＣ／ＡＳＡＣがネットワーク内で有効にされるとき、どのアプリケーションカテゴリが許可されるか及びどのカテゴリが許可されないかを示すビットマップを含み得る。非限定的例として、ＡＣＤＣ／ＡＳＡＣ情報は、［０１０１０］のビットマップを有し得る。これは、カテゴリＡ、Ｃ、及びＥが禁止されないこと（つまり、ＵＥ上で作動することを許可される）、及びカテゴリＢ及びＤが禁止されること（つまり、ＵＥ上で作動することを許可されない）を示す。言い換えると、ビットマップ内の「０」は、特定アプリケーションが禁止されないことを示し、一方で、ビットマップ内の「１」は、特定アプリケーションが禁止されることを示し得る。ビットマップを表現するために使用されるビットの数は、ネットワークオペレータにより定められる可能なアプリケーションカテゴリの数に依存し得る。ＡＣＤＣ状態が有効にされ及びビットマップが使用されるとき、禁止レベルは、時間パラメータを定められずに、「禁止される」又は「禁止されない」であり得る。
【００８０】
一例では、ＵＥは、ビットマップを有するＡＣＤＣ／ＡＳＡＣ情報をネットワークから受信でき、ネットワークがＡＣＤＣ／ＡＳＡＣを有効にすると、ＵＥは、ビットマップに基づき、特定アプリケーションカテゴリを許可し、特定アプリケーションカテゴリを許可しないことができる。ビットマップは「１」又は「０」のみを有するので、特定アプリケーションカテゴリを禁止する確率は、それぞれ１００％又は０％であり得る。ビットマップに基づき、アプリケーションカテゴリは、永久時間期間の間、禁止される又は禁止されない（例えば、特定アプリケーションカテゴリの禁止時間は、アプリケーションカテゴリを禁止しない決定が行われるまで、無限大である）。アプリケーションカテゴリは、ネットワークがＵＥに変更ビットマップを送信すると、「禁止される」から「禁止されない」に、又はその逆に、切り替え可能である。したがって、ＵＥは、ネットワークから最後に受信したビットマップのみを実施でき、ＵＥは、後続のビットマップがネットワークから受信されるまで、該ビットマップを実施し続ける。
【００８１】
一例では、ＡＣＤＣ／ＡＳＡＣ情報（例えば、アプリケーションセットを含むアプリケーションカテゴリ及び状態レベル、禁止パラメータ、ビットマップ、等）は、ＵＥ上にプリロードされ得る。代替例では、ＡＣＤＣ／ＡＳＡＣ情報は、ＵＥがネットワークに登録するとき、又はＵＥが定められた地理的領域にローミングすると、ネットワークからＵＥへ伝達され得る。アプリケーションセットは、ロケーションエリアコード（ＬＡＣ）、ルーティングエリアコード（ＲＡＣ）、又はタイプアロケーションコード（ＴＡＣ）のうちの少なくとも１つに基づき、種々のアプリケーションカテゴリに分類され得る。
【００８２】
図１１は、状態レベルに対する種々の地理的位置について、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）アプリケーションカテゴリの優先順位付けを示す例示的なテーブルである。各地理的領域は、各アプリケーションカテゴリの中の異なるアプリケーションセットを定め得る。地理的領域は、特定の国、州、市、等であり得る。地理的領域は、特定のトラッキングエリアであり得る。地理的領域は、また、特定のセルセットであり得る。さらに、各アプリケーションカテゴリは、１又は複数の状態レベル（例えば、Ｎ、Ｎ＋１、Ｎ＋２、Ｎ＋３、Ｎ＋４）に関連付けられ得る。一例として、災害メッセージ掲示板が幾つかの国で利用可能であり、他の国では利用可能ではない。災害メッセージ掲示板が所与の国で利用可能なときでも、このアプリケーションは、他の国に比べて低い（又は高い）優先度レベルを有するアプリケーションカテゴリに含まれ得る。
【００８３】
図１１に示すように、アプリケーション１は、３つの国の全部で（例えば、ＭＣＣ１、ＭＣＣ２、ＭＣＣ３）カテゴリＡに含まれ得るが、アプリケーション２は、装置がＭＣＣ１内にいるときカテゴリＡに含まれ、アプリケーション２は装置がＭＣＣ２又はＭＣＣ３内にいるときカテゴリＣに含まれ得る。したがって、アプリケーション２は、装置がＭＣＣ１内にいるとき高優先度レベルを、しかし装置がＭＣＣ２内にいるとき低優先度レベルを割り当てられ得る。別の例では、アプリケーション４は、装置がＭＣＣ１又はＭＣＣ２内にいるとき、カテゴリＢに含まれ得るが、アプリケーション４は、装置がＭＣＣ３内にいるとき、カテゴリＤに含まれ得る。幾つかのアプリケーションは、特定の国（又は地域）で比較的重要又は有用であり得るが、他の国（又は地域）ではあまり重要又は有用ではないことがある。したがって、国に依存して、同じアプリケーションは、高優先度レベル又は低下した優先度レベルを有するアプリケーションカテゴリに含まれ得る。非限定的例として、輻輳が存在し及びＡＣＤＣが有効であるとき、ビデオストリーミングアプリケーションカテゴリは、第１の国で第３優先度レベルを割り当てられ得るが、ビデオストリーミングアプリケーションカテゴリは、第２の国で第５優先度レベルを割り当てられ得る。
【００８４】
図１２は、優先度レベルに対する種々の地理的位置について、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）アプリケーションカテゴリの優先順位付けを示す例示的なテーブルである。各アプリケーションカテゴリ（例えば、カテゴリＡ、Ｂ、Ｃ、Ｄ、及びえ）は、アプリケーションセットを含み得る。例えば、カテゴリＡは、アプリケーション１、２、及び３を含み得る。各アプリケーションは、特定の国又は領域の中で適用可能であり得る。さらに、各アプリケーションカテゴリは、優先度レベル（例えば、Ｐ１、Ｐ２、Ｐ３、Ｐ４又はＰ５）に関連付けられ得る。一例では、アプリケーションカテゴリＡはＰ１に関連付けられ、アプリケーションカテゴリＢはＰ２に関連付けられ得る、等である。
【００８５】
図１２に示すように、装置がＭＣＣ３内に存在し及びＰ１の優先度レベルを割り当てられるとき、アプリケーション３は、カテゴリＡに含まれ得る。言い換えると、装置がＭＣＣ３内に存在するとき、アプリケーション３は、最高優先度レベル（つまりＰ１）を有する。装置がＭＣＣ１内に存在し及びＰ３の優先度レベルを割り当てられるとき、同じアプリケーションがカテゴリＣに含まれ得る。言い換えると、装置がＭＣＣ１内に存在するとき、アプリケーション３は、３番目に高い優先度レベル（つまりＰ３）を有する。
【００８６】
一構成では、図１２の例示的なテーブルは、ＵＥにおいて事前設定され得る。ＵＥが存在する国に基づき、ＵＥは、Ｐ１、Ｐ２、Ｐ３、Ｐ４又はＰ５の値に固有のＡＣＤＣ／ＡＳＡＣ情報を受信できる。例えば、ＵＥがＭＣＣ１内に位置する場合、ＵＥは、利用可能なアプリケーションカテゴリの値のみを受信できる。本例では、ＭＣＣ１内でアプリケーションカテゴリＤ及びＥの定義が存在しないので、ＵＥは、アプリケーションカテゴリＡ、Ｂ、及びＣの値のみを受信できる。したがって、ＵＥは、Ｐ１、Ｐ２、Ｐ３の値を受信できるが、ＵＥはＰ４及びＰ５の値を受信しない。その結果、ＵＥはＵＥの位置する特定の国の関連するＡＣＤＣ／ＡＳＡＣ情報のみを受信するので、信号オーバヘッドの量が削減される。別の例として、ＵＥがＭＣＣ３内にいる場合、ＭＣＣ３内のネットワークは、Ｐ１、Ｐ３、Ｐ４及びＰ５の値のみをブロードキャストする必要があるが、Ｐ２の値をブロードキャストする必要がない。各国は、ＵＥがその国の中にいるとき、自身の値をＵＥにブロードキャストし得る。
【００８７】
図１３は、地理的位置に対する複数の優先度レベルを示す例示的なテーブルである。言い換えると、優先度レベル又は状態レベル（例えば、Ｐ１、Ｐ２、Ｐ３、Ｐ４、及びＰ５）は国毎に定めることができる。図１３に示すテーブルは、ＵＥに事前設定できる。一例では、Ｐ１について、ＭＣＣ１、ＭＣＣ２、及びＭＣＣ３は、それぞれ、別個の状態レベルセットに関連付けられ得る。別の例では、Ｐ２について、ＭＣＣ１、ＭＣＣ２、及びＭＣＣ３は、それぞれ、同じ状態レベルセット（例えば、Ｎ＋１、Ｎ＋２、Ｎ＋３、及びＮ＋４）に関連付けられ得る。一構成では、各優先度レベルは、特定アプリケーションカテゴリに関連付けられ得る。例えば、Ｐ１はアプリケーションカテゴリＡに関連付けられ、Ｐ２はアプリケーションカテゴリＢに関連付けられ得る、等である。
【００８８】
一例では、ＵＥが特定領域（例えば、ＭＣＣ１）内にいるとき、ネットワークは、Ｐ１、Ｐ２、Ｐ３、Ｐ４、及びＰ５のために利用可能な状態レベルセットを送信し得る。例えば、ＵＥがＭＣＣ１内にいる場合、ネットワークは、Ｐ１がＮ、Ｎ＋１、Ｎ＋２、Ｎ＋３、及びＮ＋４の状態レベルに関連付けられることを示すことができる。別の例として、ＵＥがＭＣＣ３内にいる場合、ネットワークは、Ｐ５がＮ＋４の状態レベルに関連付けられることを示すことができる。したがって、ＵＥはＵＥの位置する特定の国の優先度レベルに関して状態レベルセットを受信するだけなので、信号オーバヘッドの量が削減される。
【００８９】
ＵＥは、許可状態レベルセットを事前設定され得る。例えば、ＵＥは、事前設定されて、状態レベルＰ１の間、カテゴリＡが許可されること、状態レベルＰ２の間、カテゴリＢが許可されること、状態レベルＰ３の間、カテゴＣＢが許可されること、状態レベルＰ４の間、カテゴリＤが許可されること、状態レベルＰ５の間、カテゴリＥが許可されること、を知ることができる。後の時間に、ネットワークは、ＵＥの位置する場所（例えば、国）に依存して、Ｐ１、Ｐ２、Ｐ３、Ｐ４、及びＰ５の異なる値を設定できる。一例では、Ｐ１、Ｐ２、Ｐ３、Ｐ４、及びＰ５の値は、（図１３に示すように）国毎に事前設定できる。言い換えると、ＭＣＣ１、ＭＣＣ２、及びＭＣＣ３の中の許可状態レベルは、Ｐ１、Ｐ２、Ｐ３、Ｐ４、及びＰ５に関して定めることができる。例えば、Ｐ１について、許可状態レベルセットは、ＭＣＣ１ではＮ、Ｎ＋１、Ｎ＋２、Ｎ＋３、及びＮ＋４であり、許可状態レベルセットは、ＭＣＣ２ではＮ＋１、Ｎ＋２、Ｎ＋３、及びＮ＋４であり、許可状態レベルセットは、ＭＣＣ３ではＮ＋２、Ｎ＋３、及びＮ＋４であり得る。
【００９０】
一構成では、ＡＣＤＣ／ＡＳＡＣ情報（例えば、アプリケーションカテゴリ／グループとアプリケーションとの間のマッピング）及びＡＣＤＣ／ＡＳＡＣ情報に対する更新は、種々の方法でＵＥに提供され得る。一例では、ＡＣＤＣ／ＡＳＡＣ情報は、ＯＭＡ−ＤＭ（Open  Mobile  Alliance  Device  Management）プロトコルを用いて、ネットワークからＵＥへ提供され得る。別の例では、ＡＣＤＣ／ＡＳＡＣ情報は、ＯＴＡ（over−the−air）更新により、ネットワークからＵＥへ提供され得る。一構成では、ＡＣＤＣ／ＡＳＡＣ情報は、ネットワークからＵＥへブロードキャストチャネルを介して提供できる。あるいは、代替で、ＵＥは、ＡＣＤＣ／ＡＳＡＣ情報を専用シグナリングにより受信できる。
【００９１】
一例では、ネットワークは、ロケーションエリア更新要求メッセージ、ルーティングエリア更新要求メッセージ、又はトラッキングエリア更新要求メッセージをＵＥから受信できる。これに応答して、ネットワークは、ＡＣＤＣ／ＡＳＡＣ情報を専用シグナリングによりＵＥへ伝達できる。ここで、専用シグナリングは、ロケーションエリア更新受容メッセージ、ルーティングエリア更新受容メッセージ、又はトラッキングエリア更新受容メッセージのうちの少なくとも１つを含む。
【００９２】
別の例は、図１４のフローチャートに示すように、移動機上のアプリケーションカテゴリをプロビジョニングするよう動作する無線ネットワークエレメントの機能１４００を提供する。機能は方法として実施されても良い。あるいは、機能は機械において命令として実行されても良い。ここで、命令は、少なくとも１つのコンピュータ可読媒体若しくは非一時的機械可読記憶媒体に含まれる。機能は、機械の１又は複数のプロセッサを用いて実施できる。ブロック１４１０のように、無線ネットワークエレメントは、ＡＣＤＣ（Application  Specific  Congestion  Control  for  Data  Communications）／ＡＳＡＣ（Application  and  Service  Access  Control）情報を移動機に伝達するよう構成され得る。ＡＣＤＣ／ＡＳＡＣ情報は、アプリケーションカテゴリの事前設定リストを含み、各アプリケーションカテゴリは、少なくとも１つの定義された状態レベルの間、移動機から無線ネットワークにアクセスすることが許可されるアプリケーションセットを含む。ブロック１４２０のように、無線ネットワークエレメントは、無線ネットワークの容量閾が超過される間、１又は複数の状態レベルについてＡＣＤＣ／ＡＳＡＣを有効にするよう構成され得る。ブロック１４３０のように、無線ネットワークエレメントは、ＡＣＤＣ／ＡＳＡＣが選択されたアプリケーションカテゴリについて１又は複数の状態レベルに基づき有効にされるとき、選択されたアプリケーションカテゴリのアプリケーションセットが無線ネットワークと通信することを許可するよう構成され得る。
【００９３】
一例では、ＵＥに伝達されるＡＣＤＣ／ＡＳＡＣ情報は、アプリケーションカテゴリの各々についてアクセス確率及び禁止時間を示す。
【００９４】
ここで、選択されたアプリケーションカテゴリのアプリケーションセットは、ＡＣＤＣ／ＡＳＡＣが無線ネットワークに対して有効にされるとき、アクセス確率及び禁止時間に従い、無線ネットワークと通信することを許可される。別の例では、ＵＥに伝達される前記ＡＣＤＣ／ＡＳＡＣ情報は、ＡＣＤＣ／ＡＳＡＣが無線ネットワークに対して有効にされるとき、無線ネットワークにアクセスすることが許可されるアプリケーションカテゴリを示すビットマップを有する。ここで、ビットマップ内の「０」は特定アプリケーションカテゴリが禁止されないことを示し、ビットマップ内の「１」は前記特定アプリケーションカテゴリが禁止されることを示し、選択されたアプリケーションカテゴリのアプリケーションセットは、ＡＣＤＣ／ＡＳＡＣが無線ネットワークに対して有効にされるとき、無線ネットワークと通信することを許可される。
【００９５】
一例では、ＡＣＤＣ／ＡＳＡＣ情報は、移動機が登録されると、移動機にプリロードされ又は移動機に伝えられる。別の例では、ＡＣＤＣ／ＡＳＡＣ情報は、選択されたアプリケーションカテゴリの中の各アプリケーションについて１又は複数の関連領域を含み、各アプリケーションが移動機の位置する関連領域に基づき異なるカテゴリで動作できるようにする。
【００９６】
一構成では、ＡＣＤＣ／ＡＳＡＣ情報は、各領域について少なくとも１つの許可状態レベルを含み、各アプリケーションカテゴリが移動機の位置する関連領域に基づき定められる許可状態レベルで動作できるようにする。別の構成では、ＡＣＤＣ／ＡＳＡＣ情報は、各領域についてアクセスパラメータを含み、各アプリケーションカテゴリが移動機の位置する関連領域に基づき定められるアクセスパラメータで動作できるようにし、アクセスパラメータはアクセス確率及び禁止時間を含む。更に別の構成では、無線ネットワークは、ＡＣＤＣ／ＡＳＡＣサーバを含む。
【００９７】
一例では、１又は複数のプロセッサは、ＡＣＤＣ／ＡＳＡＣ情報を専用シグナリングにより移動機へ伝達するよう更に構成され、専用シグナリングは、ロケーションエリア更新受容メッセージ、ルーティングエリア更新受容メッセージ、又はトラッキングエリア更新受容メッセージのうちの少なくとも１つを含む。別の例では、１又は複数のプロセッサは、ロケーションエリア更新要求メッセージ、ルーティングエリア更新要求メッセージ、又はトラッキングエリア更新要求メッセージのうちの少なくとも１つを移動機から受信することに応答して、ＡＣＤＣ／ＡＳＡＣ情報を移動機へ伝達するよう更に構成される。
【００９８】
一構成では、１又は複数のプロセッサは、ブロードキャストチャネルによりＡＣＤＣ／ＡＳＡＣ情報を移動機に伝達するよう更に構成される。別の構成では、１又は複数のプロセッサは、ＯＭＡ−ＤＭ（Open  Mobile  Alliance  Device  Management）プロトコルを用いて、ＡＣＤＣ／ＡＳＡＣ情報を移動機に伝達するよう更に構成される。更に別の構成では、１又は複数のプロセッサは、ＯＴＡ（over−the−air）更新によりＡＣＤＣ／ＡＳＡＣ情報を移動機に伝達するよう更に構成される。さらに、アプリケーションセットは、モバイルカントリーコード（ＭＣＣ）、ロケーションエリアコード（ＬＡＣ）、ルーティングエリアコード（ＲＡＣ）、又はタイプアロケーションコード（ＴＡＣ）のうちの少なくとも１つに基づき、種々のアプリケーションカテゴリに分類される。
【００９９】
別の例は、図１５のフローチャートに示すように、優先順位付けされたアプリケーションカテゴリの事前設定リストに従い、アプリケーションを作動するよう動作するユーザ機器（ＵＥ）の機能１５００を提供する。機能は方法として実施されても良い。あるいは、機能は機械において命令として実行されても良い。ここで、命令は、少なくとも１つのコンピュータ可読媒体若しくは非一時的機械可読記憶媒体に含まれる。機能は、機械の１又は複数のプロセッサを用いて実施できる。ブロック１５１０のように、ＵＥは、ＡＣＤＣ（Application  Specific  Congestion  Control  for  Data  Communications）／ＡＳＡＣ（Application  and  Service  Access  Control）情報を無線ネットワークエレメントから受信するよう構成され得る。ＡＣＤＣ／ＡＳＡＣ情報は、アプリケーションカテゴリの事前設定リストを含み、各アプリケーションカテゴリは、少なくとも１つの定義された状態レベルの間、移動機から無線ネットワークにアクセスすることが許可されるアプリケーションセットを含む。ブロック１５２０のように、ＵＥは、ＡＣＤＣ／ＡＳＡＣが１又は複数の状態レベルについて有効にされるとき、事前設定リストに含まれる特定アプリケーションカテゴリの中のアプリケーションセットだけに、無線ネットワークと通信することを許可するよう構成され得る。ＡＣＤＣ／ＡＳＡＣは、無線ネットワークの無線ネットワークチャネル状態が容量閾を超えることに応答して、有効にされる。
【０１００】
一例では、無線ネットワークエレメントから受信されるＡＣＤＣ／ＡＳＡＣ情報は、アプリケーションカテゴリの各々についてのアクセス確率及び禁止時間であって、アクセス確率及び禁止時間は、ＡＣＤＣ／ＡＳＡＣが無線ネットワークに対して有効にされるとき、ＵＥにおけるアプリケーションカテゴリについて実施される、アクセス確率及び禁止時間、又は、ＡＣＤＣ／ＡＳＡＣが無線ネットワークに対して有効にされるとき、ＵＥから無線ネットワークにアクセスすることが許可されるアプリケーションカテゴリを示すビットマップであって、ビットマップ内の「０」は特定アプリケーションカテゴリが禁止されないことを示し、ビットマップ内の「１」は特定アプリケーションカテゴリが禁止されることを示す、ビットマップ、を含む。
【０１０１】
一構成では、ＡＣＤＣ／ＡＳＡＣ情報は、ＵＥが登録されると又はＵＥが定められる地理的領域にローミングされると、受信される。別の構成では、１又は複数のプロセッサは、ＯＭＡ−ＤＭ（Open  Mobile  Alliance  Device  Management）プロトコルを用いて、無線ネットワークからＡＣＤＣ／ＡＳＡＣ情報を受信するよう更に構成される。一例では、ＵＥは、アンテナ、タッチ感応ディスプレイスクリーン、スピーカ、マイクロフォン、グラフィックプロセッサ、アプリケーションプロセッサ、内部メモリ、又は不揮発性メモリポートを有する。
【０１０２】
別の例は、図１６のフローチャートに示すように、ユーザ機器（ＵＥ）上でアプリケーションカテゴリをプロビジョニングする方法１６００を提供する。方法は機械において命令として実行されても良い。ここで、命令は、少なくとも１つのコンピュータ可読媒体若しくは非一時的機械可読記憶媒体に含まれる。ブロック１６１０のように、方法は、ＡＣＤＣ（Application  Specific  Congestion  Control  for  Data  Communications）／ＡＳＡＣ（Application  and  Service  Access  Control）サーバからＵＥにＡＣＤＣ／ＡＳＡＣ情報を伝達するステップを有する。ＡＣＤＣ／ＡＳＡＣ情報は、アプリケーションカテゴリの事前設定リストを含み、各アプリケーションカテゴリは、少なくとも１つの定義された状態レベルの間、ＵＥから無線ネットワークにアクセスすることが許可されるアプリケーションセットを含む。方法は、ブロック１６２０のように、無線ネットワークの容量閾が超過される間、１又は複数の状態レベルについてＡＣＤＣ／ＡＳＡＣを有効にするステップを含み得る。ブロック１６３０のように、方法は、ＡＣＤＣ／ＡＳＡＣが選択されたアプリケーションカテゴリについて１又は複数の状態レベルに基づき有効にされるとき、選択されたアプリケーションカテゴリのアプリケーションセットが無線ネットワークと通信することを許可するよう構成され得る。
【０１０３】
一例では、方法は、ＵＥが位置する特定領域について、ＡＣＤＣ／ＡＳＡＣ情報をＵＥに伝達するステップであって、ＡＣＤＣ／ＡＳＡＣ情報は、ＡＣＤＣ／ＡＳＡＣが起動されるとき特定領域について無線ネットワークにアクセスすることが許可されるアプリケーションカテゴリを含む、ステップ、を更に含む。別の例では、方法は、ＵＥが無線ネットワークに登録されること又はＵＥが定められる地理的領域にローミングすることに応答して、ＡＣＤＣ／ＡＳＡＣ情報をＵＥに伝達するステップ、を更に含む。一構成では、方法は、専用シグナリング又はブロードキャストチャネルにより、ＡＣＤＣ／ＡＳＡＣ情報をＵＥに伝達するステップ、を更に含む。別の構成では、方法は、ＯＭＡ−ＤＭ（Open  Mobile  Alliance  Device  Management）プロトコルを用いて、ＡＣＤＣ／ＡＳＡＣ情報をＵＥに伝達するステップ、を更に含む。
【０１０４】
図１７は、ユーザ機器（ＵＥ）、移動局（ＭＳ）、モバイル無線装置、モバイル通信装置、タブレット、ハンドセット、又は他の種類の無線装置のような無線装置の例示的説明を提供する。無線装置は、ノード、マクロノード、低電力ノード（low  power  node：ＬＰＮ）、又は基地局（ＢＳ）、ｅＮＢ（evolved  Node  B）、ベースバンドユニット（baseband  unit：ＢＢＵ）、リモートＲＨ（radio  head）、ＲＲＥ（remote  radio  equipment）、中継局（ＲＳ）、無線機器（radio  equipment：ＲＥ）若しくは他の種類の無線広域ネットワーク（wireless  wide  area  network：ＷＷＡＮ）アクセスポイントのような送信局と通信するよう構成される１又は複数のアンテナを有し得る。無線装置は、３ＧＰＰ  ＬＴＥ、ＷｉＭＡＸ、ＨＳＰＡ（High  Speed  Packet  Access）、Ｂｌｕｅｔｏｏｔｈ（登録商標）及びＷｉＦｉを含む少なくとも１つの無線通信規格を用いて通信するよう構成され得る。無線装置は、無線通信規格毎に別個のアンテナを又は複数の無線通信規格のための共有アンテナを用いて通信できる。無線装置は、ＷＬＡＮ（wireless  local  area  network）、ＷＰＡＮ（wireless  personal  area  network）、及び／又はＷＷＡＮ内で通信できる。
【０１０５】
図１７は、無線装置からの音声入力及び出力のために用いられ得るマイクロフォン及び１又は複数のスピーカの説明も提供する。ディスプレイスクリーンは、ＬＣＤ（liquid  crystal  display）スクリーン、又はＯＬＥＤ（organic  light  emitting  diode）ディスプレイのような他の種類のディスプレイスクリーンであっても良い。ディスプレイスクリーンは、タッチスクリーンのように構成され得る。タッチスクリーンは、容量性、抵抗性、又は別の種類のタッチスクリーン技術を用いても良い。アプリケーションプロセッサ及びグラフィックプロセッサは、処理及び表示能力を提供するために内部メモリに結合され得る。不揮発性メモリポートも、ユーザに入力／出力オプションを提供するために用いられ得る。不揮発性メモリポートは、無線装置のメモリ容量を拡張するために用いられても良い。
【０１０６】
キーボードは、追加ユーザ入力を提供するために、無線装置に統合され又は無線装置に無線接続されても良い。仮想キーボードは、タッチスクリーンを用いて提供されても良い。
【０１０７】
種々の技術又はその特定の態様若しくは部分は、フロッピーディスク、ＣＤ−ＲＯＭ、ハードドライブ、非一時的コンピュータ可読記憶媒体、又は任意の他の機械可読記憶媒体のような有形媒体に具現化されるプログラムコード（つまり、命令）の形式をとっても良く、プログラムコードがコンピュータのような機械に読み込まれ実行されると、該機械は、種々の技術を実施するための装置になる。回路は、ハードウェア、プログラムコード、実行可能コード、コンピュータ命令、及び／又はソフトウェアを有し得る。非一時的コンピュータ可読記憶媒体は、信号を含まないコンピュータ可読記憶媒体であり得る。プログラム可能なコンピュータでプログラムコードが実行される場合、コンピューティング装置は、プロセッサ、該プロセッサにより読み取り可能な記憶媒体（揮発性及び不揮発性メモリ、及び／又は記憶素子を含む）、少なくとも１つの入力装置、及び少なくとも１つの出力装置を含んでも良い。揮発性及び不揮発性メモリ及び／又は記憶素子は、ＲＡＭ、ＥＰＲＯＭ、フラッシュドライブ、光ドライブ、磁気ハードドライブ、固体ドライブ、又は電子データを格納する他の媒体であっても良い。ノード及び無線装置は、通信機モジュール、カウンタモジュール、処理モジュール、及び／又はクロックモジュール若しくはタイマモジュールを有しても良い。ここに記載した種々の技術を実施し又は利用し得る１又は複数のプログラムは、ＡＰＩ（application  programming  interface）、再利用可能制御、等を用いても良い。このようなプログラムは、コンピュータシステムと通信するために、高度な手続き又はオブジェクト指向プログラミング言語で実装されても良い。しかしながら、プログラムは、望ましい場合には、アセンブラ又は機械語で実装されても良い。いずれの場合にも、言語は、コンパイルされた又はインタープリットされた言語であっても良く、ハードウェア実装と結合されても良い。
【０１０８】
理解されるべきことに、本願明細書に記載の機能ユニットの多くは、それらの実装独立性を特に強調するために、モジュールとしてラベル付けされた。例えば、モジュールは、カスタムＶＬＳＩ回路又はゲートアレイ、ロジックチップ、トランジスタ若しくは他の個別部品のようなオフザシェルフ（off−the−shelf）半導体を有するハードウェア回路として実装されても良い。モジュールは、フィールドプログラマブルゲートアレイ、プログラマブルアレイロジック、プログラマブルロジックデバイス、等のようなプログラマブルハードウェア素子内に実装されても良い。
【０１０９】
モジュールは、種々の種類のプロセッサにより実行されるソフトウェアで実装されても良い。例えば、実行可能コードの識別されるモジュールは、例えばオブジェクト、プロシジャ又は関数として編成され得るコンピュータ命令の１又は複数の物理又は論理ブロックを有しても良い。しかしながら、識別されるモジュールの実行ファイルは、物理的に一緒に配置される必要はなく、論理的に一緒にされるとモジュールを有しモジュールの提示される目的を達成する異なる場所に格納される別個の命令を有しても良い。
【０１１０】
実際に、実行可能コードのモジュールは、単一命令又は多くの命令であっても良く、幾つかの異なるコードセグメントに渡り、異なるプログラムの間で、及び幾つかのメモリ装置に渡り分散されても良い。同様に、運用データは、ここにモジュール内で識別され示され、任意の適切な形式で実装され、任意の適切な種類のデータ構造で編成されても良い。運用データは、単一データセットとして集められても良く、異なる記憶装置に渡ることを含む異なる場所に渡り分散されても良く、少なくとも部分的にシステム又はネットワーク上の電子信号として単に存在しても良い。モジュールは、所望の機能を実行するよう動作するエージェントを含み、受動的又は能動的であっても良い。
【０１１１】
ここで使用されるように、用語「プロセッサ」は、汎用プロセッサ、ＶＬＳＩ、ＦＰＧＡのような専用プロセッサ、及び他の種類の専用プロセッサ、並びに、無線通信を送信し、受信し、及び処理するために通信機内で使用されるベースバンドプロセッサを含み得る。
【０１１２】
本願明細書を通じて「一例」という言及は、その例と関連して記載された特定の特徴、構造、機能又は特性が本発明の少なくとも１つの実施形態に含まれることを意味する。したがって、本願明細書を通じて種々の場所にある「一例では」という表現は、必ずしも全て同じ実施形態を参照していない。
【０１１３】
ここで用いられるように、複数の用語、構造的要素、組成要素、及び／又は材料は、便宜のために共通のリストに現れ得る。しかしながら、これらのリストは、該リストの各構成要素が別個の及びユニークな構成要素として個々に識別されるものと考えられるべきである。したがって、このようなリストのいかなる個々の構成要素も、断りのない限り、事実上、共通グループ内での出現に基づき同じリストの任意の他の構成要素の等価物として考えられるべきである。さらに、本発明の種々の実施形態及び例は、その種々の成分の代替物とともにここで言及されても良い。理解されるべきことに、このような実施形態、例、及び代替は、事実上互いの等価物として考えられるべきではないが、本発明の別個の及び自主的表現として考えられるべきである。
【０１１４】
更に、記載の特徴、構造又は特性は、１又は複数の実施形態において、任意の適切な方法で結合されても良い。以下の記載では、本発明の実施形態の完全な理解を提供するために、レイアウトの例、距離、ネットワーク例、等のような多くの特定の詳細事項が提供される。しかしながら、当業者は、本発明が特定の詳細事項のうちの１又は複数がなくても又は他の方法、コンポーネント、レイアウト、等で実施できることを理解するだろう。
【０１１５】
前述の例は１又は複数の特定の用途における本発明の原理の説明であるが、当業者には、発明力を行使しないで及び本発明の原理及び概念から逸脱することなく、実装の形式、使用方法及び詳細事項において多くの変更を行うことができることが明らかである。したがって、以下に記載の請求の範囲を除いて、本発明は限定されるものではない。
【図１Ａ】
2018502503.tif 000003
【図１Ｂ】
2018502503.tif 000004
【図２】
2018502503.tif 000005
【図３】
2018502503.tif 000006
【図４】
2018502503.tif 000007
【図５】
2018502503.tif 000008
【図６】
2018502503.tif 000009
【図７】
2018502503.tif 000010
【図８】
2018502503.tif 000011
【図９】
2018502503.tif 000012
【図１０】
2018502503.tif 000013
【図１１】
2018502503.tif 000014
【図１２】
2018502503.tif 000015
【図１３】
2018502503.tif 000016
【図１４】
2018502503.tif 000017
【図１５】
2018502503.tif 000018
【図１６】
2018502503.tif 000019
【図１７】
2018502503.tif 000020
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
無線ネットワークにおいてＡＣＤＣ（Application  Specific  Congestion  Control  for  Data  Communication）を適用するよう構成されるネットワーク要素の装置であって、前記装置は、
１又は複数のプロセッサであって、
前記ネットワーク要素において、前記無線ネットワークの過負荷を軽減するために前記無線ネットワークの中でＡＣＤＣを適用することを決定し、
前記ネットワーク要素において、ＡＣＤＣが前記無線ネットワークの中で適用されるとき、ユーザ機器（ＵＥ）への送信のために、１又は複数のＡＣＤＣカテゴリのベアリング情報を処理し、前記ベアリング情報は、ＡＣＤＣが前記無線ネットワークの中で適用されるとき、前記１又は複数のＡＣＤＣカテゴリに関連するアプリケーションについて、前記ＵＥが前記ネットワーク要素にアクセスすることを抑制されることを示す、
よう構成される１又は複数のプロセッサと、
前記１又は複数のＡＣＤＣカテゴリと、該１又は複数のＡＣＤＣカテゴリに含まれる前記アプリケーションの指示と、を格納するよう構成されるメモリと、
を有する装置。
【請求項２】
ＡＣＤＣが前記無線ネットワークの中で適用されるとき、前記１又は複数のＡＣＤＣカテゴリの前記ベアリング情報を前記ＵＥへ送信するよう構成される通信機、を更に有する請求項１に記載の装置。
【請求項３】
ＡＣＤＣが前記無線ネットワークの中で適用されるとき、前記１又は複数のＡＣＤＣカテゴリの前記ベアリング情報をブロードキャストするよう構成される通信機、を更に有する請求項１に記載の装置。
【請求項４】
前記１又は複数のプロセッサは、前記ＵＥへ送信するために１又は複数のＡＣＤＣカテゴリを処理するよう構成され、最高ＡＣＤＣカテゴリは、前記ＵＥにおいて制限される可能性の最も低いアプリケーションに関連付けられ、最低ＡＣＤＣカテゴリは、前記ＵＥにおいて制限される可能性の最も高いアプリケーションに関連付けられる、請求項１に記載の装置。
【請求項５】
前記１又は複数のプロセッサは、前記ＵＥへ送信するために少なくとも４個のＡＣＤＣカテゴリを処理するよう構成される、請求項１に記載の装置。
【請求項６】
前記１又は複数のプロセッサは、無線アクセスネットワーク（ＲＡＮ）又はコアネットワーク（ＣＮ）のうちの１又は複数において過負荷を軽減するためにＡＣＤＣを適用するよう構成される、請求項１に記載の装置。
【請求項７】
前記１又は複数のプロセッサは、前記無線ネットワーク内のローミングＵＥへ送信するために、前記１又は複数のＡＣＤＣカテゴリの前記ベアリング情報を処理するよう構成される、請求項１に記載の装置。
【請求項８】
前記ネットワーク要素は、ユニバーサル地上無線アクセスネットワーク（Universal  Terrestrial  Radio  Access  Network：ＵＴＲＡＮ）又は進化型ユニバーサル地上無線アクセスネットワーク（Evolved  Universal  Terrestrial  Radio  Access  Network：Ｅ−ＵＴＲＡＮ）に含まれる、請求項１に記載の装置。
【請求項９】
前記１又は複数のＡＣＤＣカテゴリに関連付けられる前記アプリケーションは、オペレータの識別したアプリケーションを含む、請求項１に記載の装置。
【請求項１０】
前記１又は複数のプロセッサは、輻輳レベルに基づき前記無線ネットワークの過負荷を軽減するために、前記無線ネットワークの中でＡＣＤＣを適用することを決定するよう構成される、請求項１に記載の装置。
【請求項１１】
無線ネットワークにおいてＡＣＤＣ（Application  Specific  Congestion  Control  for  Data  Communication）が適用されるとき、アプリケーションのネットワークアクセスを制御するよう動作するユーザ機器（ＵＥ）の装置であって、前記装置は、
１又は複数のプロセッサであって、
前記ＵＥにおいて、前記無線ネットワークの中でＡＣＤＣが適用されるとき、ネットワーク要素から受信された１又は複数のＡＣＤＣカテゴリのベアリング情報を処理し、前記ベアリング情報は、前記無線ネットワークの中でＡＣＤＣが適用されるとき、前記１又は複数のＡＣＤＣカテゴリに関連付けられたアプリケーションが、前記ＵＥにおいて前記ネットワーク要素にアクセスすることを抑制されることを前記ＵＥに示し、
前記ＵＥにおいて、前記無線ネットワークの中でＡＣＤＣが適用されるとき、前記ベアリング情報に含まれる前記１又は複数のＡＣＤＣカテゴリに含まれる前記アプリケーションが、前記ネットワーク要素にアクセスすることを抑制する、
よう構成される１又は複数のプロセッサと、
前記１又は複数のＡＣＤＣカテゴリと、該１又は複数のＡＣＤＣカテゴリに含まれる前記アプリケーションの指示と、を格納するよう構成されるメモリと、
を有する装置。
【請求項１２】
ＡＣＤＣが前記無線ネットワークの中で適用されるとき、前記１又は複数のＡＣＤＣカテゴリの前記ベアリング情報を前記ネットワーク要素から受信するよう構成される通信機、を更に有する請求項１１に記載の装置。
【請求項１３】
前記ネットワーク要素からのブロードキャストにより、前記１又は複数のＡＣＤＣカテゴリの前記ベアリング情報を受信するよう構成される通信機、を更に有する請求項１１に記載の装置。
【請求項１４】
前記１又は複数のプロセッサは、前記ネットワーク要素から受信した１又は複数のＡＣＤＣカテゴリにより構成を処理するよう構成され、前記構成は、最高ＡＣＤＣカテゴリが、前記ＵＥにおいて制限される可能性の最も低いアプリケーションに関連付けられ、最低ＡＣＤＣカテゴリが、前記ＵＥにおいて制限される可能性の最も高いアプリケーションに関連付けられる、ことを示す、請求項１１に記載の装置。
【請求項１５】
前記１又は複数のプロセッサは、前記ネットワーク要素から受信される少なくとも４個のＡＣＤＣカテゴリにより構成を処理するよう構成される、請求項１１に記載の装置。
【請求項１６】
前記１又は複数のプロセッサは、前記無線ネットワーク内のＵＥがローミングしているとき、前記ネットワーク要素から受信した前記１又は複数のＡＣＤＣカテゴリの前記ベアリング情報を処理するよう構成される、請求項１に記載の装置。
【請求項１７】
前記１又は複数のＡＣＤＣカテゴリに関連付けられる前記アプリケーションは、オペレータの識別したアプリケーションを含む、請求項１１に記載の装置。
【請求項１８】
前記ＵＥは、アンテナ、タッチ感応ディスプレイスクリーン、スピーカ、マイクロフォン、グラフィックプロセッサ、アプリケーションプロセッサ、内部メモリ、又は不揮発性メモリポートを有する、請求項１１に記載の装置。
【請求項１９】
コンピュータプログラムであって、ネットワーク要素に方法を実行させ、前記方法は、
無線ネットワークの過負荷を軽減するために、前記無線ネットワークにおいてＡＣＤＣ（Application  Specific  Congestion  Control  for  Data  Communication）を適用することを決定するステップと、
ＡＣＤＣが前記無線ネットワークにおいて適用されるとき、ユーザ機器（ＵＥ）へ送信するために、１又は複数のＡＣＤＣカテゴリのベアリング情報を処理するステップであって、前記ベアリング情報は、ＡＣＤＣが前記無線ネットワークにおいて適用されるとき、前記１又は複数のＡＣＤＣカテゴリに関連付けられたアプリケーションが前記ネットワーク要素にアクセスすることを前記ＵＥにおいて抑制されることを前記ＵＥに示す、ステップと、
を有する、コンピュータプログラム。
【請求項２０】
前記方法は、ブロードキャストにより前記ＵＥへ送信するために、前記１又は複数のＡＣＤＣカテゴリの前記ベアリング情報を処理するステップ、を更に有する、請求項１９に記載のコンピュータプログラム。
【請求項２１】
前記方法は、１又は複数のＡＣＤＣカテゴリにより前記ＵＥを構成するステップであって、最高ＡＣＤＣカテゴリは、前記ＵＥにおいて制限される可能性の最も低いアプリケーションに関連付けられ、最低ＡＣＤＣカテゴリは、前記ＵＥにおいて制限される可能性の最も高いアプリケーションに関連付けられる、ステップ、を更に有する、請求項１９に記載のコンピュータプログラム。
【請求項２２】
前記方法は、少なくとも４つのＡＣＤＣカテゴリにより前記ＵＥを構成するステップ、を更に有する、請求項１９に記載のコンピュータプログラム。
【請求項２３】
前記方法は、無線アクセスネットワーク（ＲＡＮ）又はコアネットワーク（ＣＮ）のうちの１又は複数において過負荷を軽減するためにＡＣＤＣを適用するステップ、を更に有する、請求項１９に記載のコンピュータプログラム。
【請求項２４】
前記方法は、前記無線ネットワーク内のローミングＵＥへ送信するために、前記１又は複数のＡＣＤＣカテゴリの前記ベアリング情報を処理するステップ、を更に有する、請求項１９に記載のコンピュータプログラム。
【請求項２５】
前記ネットワーク要素は、ユニバーサル地上無線アクセスネットワーク（Universal  Terrestrial  Radio  Access  Network：ＵＴＲＡＮ）又は進化型ユニバーサル地上無線アクセスネットワーク（Evolved  Universal  Terrestrial  Radio  Access  Network：Ｅ−ＵＴＲＡＮ）に含まれる、請求項１９に記載のコンピュータプログラム。
【請求項２６】
前記１又は複数のＡＣＤＣカテゴリに関連付けられる前記アプリケーションは、オペレータの識別したアプリケーションを含む、請求項１９に記載のコンピュータプログラム。
【請求項２７】
請求項１９乃至２６のいずれか一項に記載のコンピュータプログラムを記憶したコンピュータ可読記憶媒体。
【国際調査報告】
2018502503.tif 000021
2018502503.tif 000022
2018502503.tif 000023
2018502503.tif 000024